(57)【要約】【課題】装置の姿勢を変化させる操作方法により複数の画像を順次表示させる場合にその操作を容易に行う。【解決手段】姿勢検出部１２０は、撮像装置１００の姿勢の変化を検出する。操作方法決定部１８０は、複数の画像に付与されている角度情報を画像毎に正規化する。また、操作方法決定部１８０は、その正規化された角度情報に基づいて、撮像装置１００の姿勢の位置と、複数の画像とを画像毎に関連付けて、複数の画像を表示する際における操作方法を決定する。グループ画像再生部１６０は、制御部１４０の制御に基づいて、グループを構成する複数の画像を、検出された姿勢の変化に基づいて表示部１１１に順次表示させる。この場合に、グループ画像再生部１６０は、検出された姿勢の変化と、表示部１１１における表示状態との関係を示すインジケータや傾け具合メータを表示部１１１に表示させる。【選択図】図３
2011197358.tif 000002
【特許請求の範囲】
【請求項１】
画像処理装置の姿勢の変化を検出する検出部と、
画像群を構成する複数の画像を前記検出された姿勢の変化に基づいて表示部に順次表示させ、前記表示部における表示状態を前記検出された姿勢の変化により変更する操作を支援するための情報であって前記検出された姿勢の変化と前記表示部における表示状態との関係を示す操作支援情報を前記表示部に表示させる制御を行う制御部と
を具備する画像処理装置。
【請求項２】
前記複数の画像には角度情報が付与され、
前記画像処理装置の姿勢が変化する範囲を基準として前記複数の画像に付与されている角度情報を前記画像毎に正規化して当該正規化された角度情報に基づいて前記画像処理装置の姿勢の位置と前記複数の画像とを前記画像毎に関連付けて前記複数の画像を表示する際における操作方法を決定する操作方法決定部をさらに具備し、
前記制御部は、前記関連付けられた前記画像処理装置の姿勢の位置と前記複数の画像とに基づいて前記操作支援情報を前記表示部に表示させる制御を行う
請求項１記載の画像処理装置。
【請求項３】
前記制御部は、前記複数の画像の全体における前記表示部に表示されている画像に関する前記正規化された角度情報により特定される順序を表す標識を前記操作支援情報として前記表示部に表示させる制御を行う請求項２記載の画像処理装置。
【請求項４】
前記制御部は、前記表示部における表示状態を変更するために必要な前記画像処理装置の姿勢の変化量を表す標識を前記操作支援情報として前記表示部に表示させる制御を行う請求項１記載の画像処理装置。
【請求項５】
前記制御部は、前記複数の画像について画送りまたは画戻しを行うために必要な前記画像処理装置の姿勢の変化量を表す標識を前記操作支援情報として前記表示部に表示させる制御を行う請求項１記載の画像処理装置。
【請求項６】
前記複数の画像は、所定の規則に基づいて順序が特定される画像であり、
前記制御部は、前記複数の画像の全体における前記表示部に表示されている画像に関する順序を表す標識を前記操作支援情報として前記表示部に表示させる制御を行う
請求項１記載の画像処理装置。
【請求項７】
前記複数の画像は、所定の規則により互いに関連する画像であり、
前記制御部は、前記表示部に表示されている画像に係る画像群を構成する各画像の相関性に基づいて前記操作支援情報の表示態様を前記画像群毎に変更して前記表示部に表示させる制御を行う
請求項６記載の画像処理装置。
【請求項８】
前記制御部は、表示対象となる画像群を構成する画像の数が基準を超えている場合には当該画像群を構成する画像のうちから前記基準に応じた所定数の画像を抽出して当該抽出された各画像を前記表示部に順次表示させる制御を行う請求項１記載の画像処理装置。
【請求項９】
前記複数の画像は、所定の規則により互いに関連する画像であり、
前記画像群を表す代表画像を前記表示部に表示する第１の表示モードと、前記画像群を構成する各画像を前記表示部に表示する第２の表示モードとの何れかを設定する設定操作を受け付ける操作受付部をさらに具備し、
前記制御部は、前記第１の表示モードが設定されている場合には、前記表示部に表示されている代表画像に係る画像群を構成する各画像の相関性に基づいて当該代表画像の表示態様を前記画像群毎に変更して前記表示部に表示させる制御を行う
請求項１記載の画像処理装置。
【請求項１０】
前記検出部は、前記画像処理装置の姿勢が変化する際における角速度を前記姿勢の変化として検出し、
前記制御部は、前記検出された角速度が一定の基準を超えたか否かに基づいて前記表示部における表示状態を変更する制御を行う
請求項１記載の画像処理装置。
【請求項１１】
画像処理装置の姿勢の変化を検出する検出手順と、
画像群を構成する複数の画像を前記検出された姿勢の変化に基づいて表示部に順次表示させ、前記表示部における表示状態を前記検出された姿勢の変化により変更する操作を支援するための情報であって前記検出された姿勢の変化と前記表示部における表示状態との関係を示す操作支援情報を前記表示部に表示させる制御を行う制御手順と
を具備する画像処理方法。
【請求項１２】
画像処理装置の姿勢の変化を検出する検出手順と、
画像群を構成する複数の画像を前記検出された姿勢の変化に基づいて表示部に順次表示させ、前記表示部における表示状態を前記検出された姿勢の変化により変更する操作を支援するための情報であって前記検出された姿勢の変化と前記表示部における表示状態との関係を示す操作支援情報を前記表示部に表示させる制御を行う制御手順と
を具備する画像処理方法。
【発明の詳細な説明】
【技術分野】
【０００１】
本発明は、画像処理装置に関し、特に、画像を表示させる画像処理装置および画像処理方法ならびに当該方法をコンピュータに実行させるプログラムに関する。
【背景技術】
【０００２】
近年、人物や動物等の被写体を撮像して画像データを生成し、この画像データを画像コンテンツとして記録するデジタルスチルカメラやデジタルビデオカメラ（例えば、カメラ一体型レコーダ）等の撮像装置が普及している。また、このように記録された各画像コンテンツを表示させる再生装置が多数提案されている。
【０００３】
例えば、操作部材を用いたユーザ操作により画像の画送りを行い、複数の画像を順次表示させる再生装置が存在する。また、ユーザが再生装置の姿勢を変化させることにより表示部の表示内容を変更させる再生装置が存在する。
【０００４】
例えば、本体の移動量や回転量を求め、これらに応じて表示部の表示内容のスクロール等を指示する情報処理装置が提案されている（例えば、特許文献１参照。）。
【先行技術文献】
【特許文献】
【０００５】
【特許文献１】特開０６−４２０８号公報（図３）
【発明の概要】
【発明が解決しようとする課題】
【０００６】
上述の従来技術によれば、装置の姿勢を変化させることにより表示部の表示内容を変更させることができるため、ユーザがその装置を手で持った状態でその変更操作を行うことができる。
【０００７】
ここで、複数の画像を装置の姿勢を変化させて画送りまたは画戻しさせる場合を想定する。この場合には、ユーザは表示部に順次表示される画像を見ながら、装置の姿勢を変化させる操作を行う。このため、ユーザが表示部に順次表示される画像を見ながら、画送りまたは画戻しのタイミングや画像群における表示画像の位置関係を容易に把握することができれば、その操作を容易に行うことができると考えられる。
【０００８】
本発明はこのような状況に鑑みてなされたものであり、装置の姿勢を変化させる操作方法により複数の画像を順次表示させる場合にその操作を容易に行うことを目的とする。
【課題を解決するための手段】
【０００９】
本発明は、上記課題を解決するためになされたものであり、その第１の側面は、画像処理装置の姿勢の変化を検出する検出部と、画像群を構成する複数の画像を上記検出された姿勢の変化に基づいて表示部に順次表示させ、上記表示部における表示状態を上記検出された姿勢の変化により変更する操作を支援するための情報であって上記検出された姿勢の変化と上記表示部における表示状態との関係を示す操作支援情報を上記表示部に表示させる制御を行う制御部とを具備する画像処理装置および画像処理方法ならびに当該方法をコンピュータに実行させるプログラムである。これにより、画像処理装置の姿勢の変化を検出し、画像群を構成する複数の画像をその検出された姿勢の変化に基づいて順次表示させ、その検出された姿勢の変化と、表示部における表示状態との関係を示す操作支援情報を表示させるという作用をもたらす。
【００１０】
また、この第１の側面において、上記複数の画像には角度情報が付与され、上記画像処理装置の姿勢が変化する範囲を基準として上記複数の画像に付与されている角度情報を上記画像毎に正規化して当該正規化された角度情報に基づいて上記画像処理装置の姿勢の位置と上記複数の画像とを上記画像毎に関連付けて上記複数の画像を表示する際における操作方法を決定する操作方法決定部をさらに具備し、上記制御部は、上記関連付けられた上記画像処理装置の姿勢の位置と上記複数の画像とに基づいて上記操作支援情報を上記表示部に表示させる制御を行うようにしてもよい。これにより、複数の画像に付与されている角度情報を画像毎に正規化し、この正規化された角度情報に基づいて、画像処理装置の姿勢の位置と、複数の画像とを画像毎に関連付けて操作方法を決定し、この関連付けられた画像処理装置の姿勢の位置と、複数の画像とに基づいて、操作支援情報を表示させるという作用をもたらす。
【００１１】
また、この第１の側面において、上記制御部は、上記複数の画像の全体における上記表示部に表示されている画像に関する上記正規化された角度情報により特定される順序を表す標識を上記操作支援情報として上記表示部に表示させる制御を行うようにしてもよい。これにより、複数の画像の全体における、表示部に表示されている画像に関する順序（正規化された角度情報により特定される順序）を表す標識を操作支援情報として表示させるという作用をもたらす。
【００１２】
また、この第１の側面において、上記制御部は、上記表示部における表示状態を変更するために必要な上記画像処理装置の姿勢の変化量を表す標識を上記操作支援情報として上記表示部に表示させる制御を行うようにしてもよい。これにより、表示部における表示状態を変更するために必要な画像処理装置の姿勢の変化量を表す標識を操作支援情報として表示させるという作用をもたらす。
【００１３】
また、この第１の側面において、上記制御部は、上記複数の画像について画送りまたは画戻しを行うために必要な上記画像処理装置の姿勢の変化量を表す標識を上記操作支援情報として上記表示部に表示させる制御を行うようにしてもよい。これにより、複数の画像について画送りまたは画戻しを行うために必要な画像処理装置の姿勢の変化量を表す標識を操作支援情報として表示させるという作用をもたらす。
【００１４】
また、この第１の側面において、上記複数の画像は、所定の規則に基づいて順序が特定される画像であり、上記制御部は、上記複数の画像の全体における上記表示部に表示されている画像に関する順序を表す標識を上記操作支援情報として上記表示部に表示させる制御を行うようにしてもよい。これにより、複数の画像の全体における、表示部に表示されている画像に関する順序を表す標識を操作支援情報として表示させるという作用をもたらす。
【００１５】
また、この第１の側面において、上記複数の画像は、所定の規則により互いに関連する画像であり、上記制御部は、上記表示部に表示されている画像に係る画像群を構成する各画像の相関性に基づいて上記操作支援情報の表示態様を上記画像群毎に変更して上記表示部に表示させる制御を行うようにしてもよい。これにより、表示部に表示されている画像に係る画像群を構成する各画像の相関性に基づいて、操作支援情報の表示態様を画像群毎に変更して表示させるという作用をもたらす。
【００１６】
また、この第１の側面において、上記制御部は、表示対象となる画像群を構成する画像の数が基準を超えている場合には当該画像群を構成する画像のうちから上記基準に応じた所定数の画像を抽出して当該抽出された各画像を上記表示部に順次表示させる制御を行うようにしてもよい。これにより、表示対象となる画像群を構成する画像の数が基準を超えている場合には、その画像群を構成する画像のうちからその基準に応じた所定数の画像を抽出し、この抽出された各画像を順次表示させるという作用をもたらす。
【００１７】
また、この第１の側面において、上記複数の画像は、所定の規則により互いに関連する画像であり、上記画像群を表す代表画像を上記表示部に表示する第１の表示モードと、上記画像群を構成する各画像を上記表示部に表示する第２の表示モードとの何れかを設定する設定操作を受け付ける操作受付部をさらに具備し、上記制御部は、上記第１の表示モードが設定されている場合には、上記表示部に表示されている代表画像に係る画像群を構成する各画像の相関性に基づいて当該代表画像の表示態様を上記画像群毎に変更して上記表示部に表示させる制御を行うようにしてもよい。これにより、第１の表示モードが設定されている場合には、表示部に表示されている代表画像に係る画像群を構成する各画像の相関性に基づいて、その代表画像の表示態様を画像群毎に変更して表示させるという作用をもたらす。
【００１８】
また、この第１の側面において、上記検出部は、上記画像処理装置の姿勢が変化する際における角速度を上記姿勢の変化として検出し、上記制御部は、上記検出された角速度が一定の基準を超えたか否かに基づいて上記表示部における表示状態を変更する制御を行うようにしてもよい。これにより、画像処理装置の姿勢が変化する際における角速度を検出し、この検出された角速度が一定の基準を超えたか否かに基づいて、表示部における表示状態を変更するという作用をもたらす。
【発明の効果】
【００１９】
本発明によれば、装置の姿勢を変化させる操作方法により複数の画像を順次表示させる場合にその操作を容易に行うという優れた効果を奏し得る。
【図面の簡単な説明】
【００２０】
【図１】本発明の第１の実施の形態における撮像装置１００の外観構成例を示す図である。
【図２】本発明の第１の実施の形態における撮像装置１００の使用時における姿勢の一例を示す図である。
【図３】本発明の第１の実施の形態における撮像装置１００の機能構成例を示すブロック図である。
【図４】本発明の第１の実施の形態における画像管理情報記憶部２１０の記憶内容を模式的に示す図である。
【図５】本発明の第１の実施の形態における代表画像再生部１５０により入出力パネル１０１に表示される代表画像の表示例を示す図である。
【図６】本発明の第１の実施の形態における入出力パネル１０１における画像の表示遷移例を模式的に示す図である。
【図７】本発明の第１の実施の形態における入出力パネル１０１における画像の表示遷移例を模式的に示す図である。
【図８】本発明の第１の実施の形態における撮像装置１００を用いて行われる撮像動作時における被写体と撮像装置１００との位置関係の概略と、その撮像動作時に生成された撮像画像群の一例とを示す図である。
【図９】本発明の第１の実施の形態における撮像装置１００の姿勢の変化と操作方法決定部１８０により行われる角度情報の正規化の一例を示す図である。
【図１０】本発明の第１の実施の形態における操作方法決定部１８０による表示対象画像と傾け角度の範囲との関連付け方法およびこの関連付け後に表示される画像および操作支援情報の一例を示す図である。
【図１１】本発明の第１の実施の形態における操作方法決定部１８０によるインジケータの表示領域の算出方法を模式的に示す図である。
【図１２】本発明の第１の実施の形態における操作方法決定部１８０により算出されたインジケータの表示領域に基づくインジケータの表示例を示す図である。
【図１３】本発明の第１の実施の形態における操作方法決定部１８０による表示対象画像数の決定方法および表示対象画像の間引き方法を模式的に示す図である。
【図１４】本発明の第１の実施の形態における操作方法決定部１８０によるインジケータの表示領域の設定方法を模式的に示す図である。
【図１５】本発明の第１の実施の形態におけるグループ画像再生部１６０により表示される操作支援情報（傾き具合メータ）の表示遷移例を示す図である。
【図１６】本発明の第１の実施の形態におけるグループ画像再生部１６０により表示される操作支援情報（傾き具合メータ）の表示遷移例を示す図である。
【図１７】本発明の第１の実施の形態におけるグループ画像再生部１６０により表示される操作支援情報（傾き具合メータ）の表示遷移例を示す図である。
【図１８】本発明の第１の実施の形態における入出力パネル１０１における表示遷移と、撮像装置１００の姿勢との関係を概略的に示す図である。
【図１９】本発明の第１の実施の形態における入出力パネル１０１における表示遷移と、撮像装置１００の姿勢との関係を概略的に示す図である。
【図２０】本発明の第１の実施の形態における撮像装置１００による画像コンテンツ再生処理の処理手順の一例を示すフローチャートである。
【図２１】本発明の第１の実施の形態における撮像装置１００による画像コンテンツ再生処理の処理手順の一例を示すフローチャートである。
【図２２】本発明の第１の実施の形態における撮像装置１００による画像コンテンツ再生処理の処理手順のうちのグループ画像表示モード設定処理の一例を示すフローチャートである。
【図２３】本発明の第１の実施の形態の変形例におけるグループ画像再生部１６０により表示される操作支援情報（傾き具合メータ）と、入出力パネル１０１における表示遷移例とを示す図である。
【図２４】本発明の第１の実施の形態の変形例におけるグループ画像再生部１６０により表示される操作支援情報（傾き具合メータ）と、入出力パネル１０１における表示遷移例とを示す図である。
【図２５】本発明の第１の実施の形態の変形例における入出力パネル１０１における表示遷移例を示す図である。
【図２６】本発明の第１の実施の形態の変形例における入出力パネル１０１における表示遷移例を示す図である。
【図２７】本発明の第１の実施の形態の変形例における入出力パネル１０１における表示遷移例を示す図である。
【図２８】本発明の第１の実施の形態の変形例における入出力パネル１０１における表示遷移例を示す図である。
【発明を実施するための形態】
【００２１】
以下、本発明を実施するための形態（以下、実施の形態と称する）について説明する。説明は以下の順序により行う。
１．第１の実施の形態（表示制御：グループ画像表示モードにおいて、グループに属する各画像にインジケータまたは傾き具合メータを重ねて表示する例）
２．変形例
【００２２】
＜１．第１の実施の形態＞
［撮像装置の外観構成例］
図１は、本発明の第１の実施の形態における撮像装置１００の外観構成例を示す図である。図１（ａ）は、撮像装置１００の表示面側の外観を示す斜視図である。また、図１（ｂ）は、撮像装置１００の表示面側の外観を示す側面図である。撮像装置１００は、例えば、被写体を撮像して画像データを生成し、この画像データを画像コンテンツとして記録し、これらを表示することが可能なデジタルスチルカメラ、デジタルビデオカメラ（例えば、カメラ一体型レコーダ）等により実現される。
【００２３】
撮像装置１００は、入出力パネル１０１およびシャッターボタン１０２を備える。また、撮像装置１００は、ユーザが手に持って入出力パネル１０１に表示される画像を見ることができ、携帯することが可能な画像処理装置である。なお、撮像装置１００は、特許請求の範囲に記載の画像処理装置の一例である。
【００２４】
入出力パネル１０１は、各種画像を表示するとともに、入出力パネル１０１における接触操作を検出することによりユーザからの操作入力を受け付けるものである。また、シャッターボタン１０２は、被写体を撮像して生成された画像データ（撮像画像）を画像コンテンツ（静止画ファイル）として記録する際に撮影者により押下されるボタンである。
【００２５】
なお、撮像装置１００には、電源スイッチ、モード切替スイッチ等の他の操作部材やレンズ部等が備えられているが、説明の容易のため、ここでの図示および説明は省略する。ここで、レンズ部（図示せず）は、被写体からの光を集光する複数のレンズ、絞り等を備える光学系である。
【００２６】
ここで、撮像装置１００の姿勢の変化について説明する。例えば、ユーザが撮像装置１００を手に持った状態で、直交３軸周りの回転角（すなわち、ヨー角、ピッチ角、ロール角）を変化させることができる。例えば、矢印３００（矢印３０１）を軸とする矢印３０２方向に撮像装置１００の姿勢を変化（ヨー角の変化）させることができる。この変化例を図２（ｂ）に示す。また、例えば、矢印３０３（矢印３０４）を軸とする矢印３０５方向に撮像装置１００の姿勢を変化（ピッチ角の変化）させることができる。また、例えば、矢印３０６（矢印３０７）を軸とする矢印３０８方向に撮像装置１００の姿勢を変化（ロール角の変化）させることができる。
【００２７】
また、例えば、ユーザが撮像装置１００を手に持った状態で、平面における直線上を移動（スライド）させて変化させることができる。例えば、矢印３００または矢印３０１方向に移動させて変化させることができる（図１（ｂ）における上下方向への移動）。また、例えば、矢印３０３または矢印３０４方向に移動させて変化させることができる（図１（ｂ）における左右方向への移動）。この変化例を図２（ｃ）に示す。また、例えば、矢印３０６または矢印３０７方向に移動させて変化させることができる。
【００２８】
［撮像装置の使用例］
図２は、本発明の第１の実施の形態における撮像装置１００の使用時における姿勢の一例を示す図である。図２（ａ）には、撮像装置１００を用いて画像コンテンツの再生を行う場合における撮像装置１００の姿勢の一例を示す。人物３１０が、撮像装置１００を用いて画像コンテンツの再生を行う場合には、例えば、図２（ａ）に示すように、撮像装置１００を両手で持った状態で、入出力パネル１０１に表示される画像を見ることができる。
【００２９】
図２（ｂ）および（ｃ）には、撮像装置１００の姿勢を変化させる場合におけるその遷移例を示す。図２（ｂ）には、図１（ａ）に示す矢印３００（３０１）を軸として矢印３０２の方向に撮像装置１００を回転させてその姿勢を変化させる場合におけるその遷移例を示す。
【００３０】
図２（ｃ）には、図１（ａ）および（ｂ）に示す矢印３０３および３０４の方向に撮像装置１００を移動させてその姿勢を変化させる場合におけるその遷移例を示す。本発明の第１の実施の形態では、このように撮像装置１００の姿勢を変化させることにより、入出力パネル１０１に表示される画像を順次変更する例を示す。すなわち、ユーザによるジェスチャー操作により、入出力パネル１０１に表示される画像を順次変更する例を示す。これらの画像の表示状態の変更については、図６、図７等を参照して詳細に説明する。
【００３１】
［撮像装置の機能構成例］
図３は、本発明の第１の実施の形態における撮像装置１００の機能構成例を示すブロック図である。撮像装置１００は、入出力部１１０と、姿勢検出部１２０と、解析部１３０と、制御部１４０と、代表画像再生部１５０と、グループ画像再生部１６０と、描画メモリ１７０と、操作方法決定部１８０とを備える。また、撮像装置１００は、画像コンテンツ記憶部２００および画像管理情報記憶部２１０を備える。
【００３２】
画像コンテンツ記憶部２００は、撮像部（図示せず）により生成された画像データ（撮像画像）を画像ファイル（画像コンテンツ（静止画コンテンツまたは動画コンテンツ））として記憶するものである。また、画像コンテンツ記憶部２００は、記憶されている画像コンテンツを代表画像再生部１５０またはグループ画像再生部１６０に供給する。なお、本発明の第１の実施の形態では、画像コンテンツとして静止画コンテンツを用いる例を示す。
【００３３】
画像管理情報記憶部２１０は、画像コンテンツ記憶部２００に記憶されている画像コンテンツに関する管理情報（画像管理情報）を記憶するものである。この画像管理情報を用いて、代表画像表示モードおよびグループ画像表示モードにおける再生が行われる。ここで、代表画像表示モードは、画像コンテンツ記憶部２００に記憶されている画像コンテンツのうち、グループ化されている各画像コンテンツの代表画像と、グループ化されていない画像コンテンツの画像とをユーザ操作に応じて順次表示するモードである。また、グループ画像表示モードは、画像コンテンツ記憶部２００に記憶されている画像コンテンツのうち、グループ化されている各画像コンテンツの画像を撮像装置１００の姿勢の変化に応じて順次表示するモードである。なお、画像コンテンツ記憶部２００および画像管理情報記憶部２１０として、例えば、ＤＶＤ（Digital Versatile Disk）等のディスクやメモリカード等の半導体メモリ等のリムーバブルな１または複数の記録媒体を用いることができる。また、これらの記録媒体は、撮像装置１００に内蔵するようにしてもよく、撮像装置１００から着脱可能とするようにしてもよい。
【００３４】
入出力部１１０は、表示部１１１および操作受付部１１２を備える。表示部１１１は、代表画像再生部１５０またはグループ画像再生部１６０から供給された画像を表示する表示部である。また、表示部１１１には各種メニュー画面や各種画像が表示される。表示部１１１として、例えば、ＬＣＤ（Liquid Crystal Display）、有機ＥＬ（Electro Luminescence）パネル等を用いることができる。
【００３５】
操作受付部１１２は、ユーザによって操作された操作内容を受け付ける操作受付部であり、受け付けられた操作内容に応じた操作信号を制御部１４０に供給する。操作受付部１１２は、例えば、図１に示すシャッターボタン１０２等の操作部材やタッチパネルに対応する。このタッチパネルは、例えば、表示部１１１の画面を透過するように表示部１１１に重ねて配置され、表示面に接触する物体を検出することによりユーザからの操作入力を受け付ける。すなわち、タッチパネルは、入出力部１１０における表示面において、ユーザが指を触れる等して所望の位置を押下すると、この押下位置の座標を検出し、この検出された座標に対応する操作信号を制御部１４０に出力する。そして、制御部１４０は、その操作信号を取得すると、取得された操作信号に基づいて所定の処理を実行する。操作受付部１１２として、例えば、専用の感知装置を用いて表示面における接触を電気信号に変換し、この変換された電気信号を制御部１４０に出力するタッチパネルを用いることができる。また、操作受付部１１２として、例えば、表示面に近接または接触する物体（例えば、ユーザの指）を検出することが可能な光センサ方式のタッチパネルを用いるようにしてもよい。なお、入出力部１１０は、図１に示すシャッターボタン１０２等の操作部材や入出力パネル１０１に対応する。
【００３６】
姿勢検出部１２０は、撮像装置１００の加速度、動き、傾き等を検出することにより撮像装置１００の姿勢の変化を検出するものであり、検出された姿勢の変化に関する姿勢変化情報を解析部１３０に出力する。例えば、姿勢検出部１２０は、撮像装置１００の特定方向における移動方向および移動量、その特定方向における角速度（撮像装置１００の姿勢が変化する際における角速度）等を、撮像装置１００の姿勢の変化として検出する。なお、姿勢検出部１２０は、ジャイロセンサ（角速度センサ）や加速度センサにより実現することができる。なお、姿勢検出部１２０は、特許請求の範囲に記載の検出部の一例である。
【００３７】
解析部１３０は、姿勢検出部１２０から出力された姿勢変化情報に基づいて、撮像装置１００の姿勢の変化量（移動方向、移動量等）を解析して表示部１１１に表示される画像や操作支援情報の表示切替を行うための解析情報を生成するものである。そして、解析部１３０は、その解析情報をグループ画像再生部１６０に出力する。
【００３８】
制御部１４０は、操作受付部１１２からの操作内容に基づいて、撮像装置１００の各部を制御するものである。例えば、制御部１４０は、操作受付部１１２により代表画像表示モードの設定操作が受け付けられた場合には代表画像表示モードを設定し、操作受付部１１２によりグループ画像表示モードの設定操作が受け付けられた場合にはグループ画像表示モードを設定する。
【００３９】
また、制御部１４０は、グループ画像表示モードの設定操作が受け付けられた場合には、その設定操作時に表示部１１１に表示されていた代表画像に対応するグループを構成する各画像を、表示部１１１に順次表示させる制御を行う。このグループ画像表示モードの設定時には、制御部１４０は、撮像装置１００の姿勢の変化と、表示部１１１における表示状態との関係を示す操作支援情報を表示部１１１に表示させる制御を行う。この操作支援情報は、表示部１１１における表示状態を変更するための操作を支援するための情報であり、例えば、図１８（ａ）に示すインジケータ６６０や図１９（ａ）に示す傾き具合メータ６７０である。また、制御部１４０は、操作方法決定部１８０により関連付けられた撮像装置１００の姿勢の位置と、複数の画像コンテンツとに基づいてその操作支援情報を表示部１１１に表示させる制御を行う。
【００４０】
また、代表画像表示モードが設定されている場合に、表示部１１１に表示される画像の表示切替（画送り、画戻し等）を指示する指示操作が受け付けられた場合には、制御部１４０は、その指示操作に基づいて画像の表示切替を代表画像再生部１５０に指示する。また、グループ画像表示モードの設定操作時には、制御部１４０は、その設定操作時に表示部１１１に表示されていた代表画像に対応するグループに関連付けられている画像管理情報（図４に示す操作方法２１５等）をグループ画像再生部１６０から取得する。制御部１４０は、例えば、ＣＰＵ（Central Processing Unit）により実現される。
【００４１】
代表画像再生部１５０は、制御部１４０の制御に基づいて、画像コンテンツ記憶部２００に記憶されている画像コンテンツのうち、代表画像に対応する画像コンテンツと、グループ化されていない画像コンテンツを表示部１１１に表示させるものである。具体的には、代表画像再生部１５０は、代表画像表示モードが設定されている場合に、代表画像に対応する画像コンテンツと、グループ化されていない画像コンテンツとを画像コンテンツ記憶部２００から取得する。続いて、代表画像再生部１５０は、その取得された画像コンテンツをデコードし、このデコードされた画像コンテンツに基づいて表示用の画像を描画メモリ１７０に描画する。そして、代表画像再生部１５０は、制御部１４０の制御に基づいて、描画メモリ１７０に描画された各画像のうち、１つの画像を表示部１１１に順次表示させる。また、代表画像再生部１５０は、代表画像と、これに対応するグループを構成する各画像を表示させるためのグループ画像表示モードへの設定操作を支援する操作支援情報（例えば、図５に示す操作支援情報２６１）とを関連付けて表示部１１１に表示させる。さらに、代表画像再生部１５０は、代表画像と、これに対応するグループの種類（例えば、図４に示すグループ種類２１６）を表す操作支援情報（例えば、図５に示す操作支援情報２５１、２５２、２５６、２５７）とを関連付けて表示部１１１に表示させる。
【００４２】
グループ画像再生部１６０は、制御部１４０の制御に基づいて、画像コンテンツ記憶部２００に記憶されている画像コンテンツのうち、グループ化されている画像コンテンツをグループ単位で表示部１１１に表示させるものである。具体的には、グループ画像再生部１６０は、グループ画像表示モードが設定された場合には、グループ画像表示モードの設定操作時に表示されていた代表画像に対応するグループに属する各画像コンテンツを画像コンテンツ記憶部２００から取得する。また、グループ画像再生部１６０は、そのグループに属する各画像コンテンツに関連付けられている画像管理情報を画像管理情報記憶部２１０から取得する。続いて、グループ画像再生部１６０は、その取得された画像管理情報を操作方法決定部１８０に出力する。また、例えば、グループ画像再生部１６０は、その取得された画像コンテンツをデコードし、このデコードされた画像コンテンツに基づいて表示用の画像を描画メモリ１７０に描画する。この場合に、グループ画像再生部１６０は、例えば、所定の規則に従って表示用の各画像を並べて描画メモリ１７０に描画する。
【００４３】
また、グループ画像再生部１６０は、グループ画像表示モードの設定操作が受け付けられた場合には、表示対象となるグループに属する各画像と、操作支援情報とを関連付けて表示部１１１に表示させる。この場合に、例えば、グループ画像再生部１６０は、姿勢検出部１２０により検出された撮像装置１００の姿勢の変化に基づいて、その操作支援情報の内容を変更させる。
【００４４】
描画メモリ１７０は、代表画像再生部１５０またはグループ画像再生部１６０により描画された画像を保持する描画バッファであり、描画された画像を代表画像再生部１５０またはグループ画像再生部１６０に供給する。
【００４５】
操作方法決定部１８０は、グループ画像再生部１６０から出力された画像管理情報に基づいて、グループ化されている画像コンテンツをグループ単位で表示部１１１に表示させる際における操作方法を決定するものである。例えば、操作方法決定部１８０は、撮像装置１００の姿勢が変化する範囲を基準として、複数の画像コンテンツに付与されている角度情報を画像コンテンツ毎に正規化する。そして、操作方法決定部１８０は、その正規化された角度情報に基づいて、撮像装置１００の姿勢の位置と、複数の画像コンテンツとを画像コンテンツ毎に関連付けて操作方法を決定し、この決定された操作方法をグループ画像再生部１６０に出力する。なお、この操作方法の決定方法については、図８乃至図１４を参照して詳細に説明する。
【００４６】
［画像管理情報記憶部の記憶内容］
図４は、本発明の第１の実施の形態における画像管理情報記憶部２１０の記憶内容を模式的に示す図である。画像管理情報記憶部２１０には、グループ識別情報２１１と、画像コンテンツ識別情報２１２と、角度情報２１３と、代表画像２１４と、操作方法２１５と、グループ種類２１６とが記憶されている。
【００４７】
グループ識別情報２１１には、各グループを識別するための識別情報が格納されている。ここで、グループは、所定の規則に基づいて順序が特定されて互いに関連する複数の画像コンテンツにより構成される画像群である。なお、本発明の第１の実施の形態では、複数の画像コンテンツにより構成される画像群（グループ）と、画像群を構成しない画像コンテンツとの双方について、グループ識別情報を付与して、画像群を構成しない画像コンテンツと画像群とを識別する例を示す。
【００４８】
画像コンテンツ識別情報２１２には、画像コンテンツ記憶部２００に記憶されている各画像コンテンツを識別するための識別情報（画像コンテンツ識別情報）が格納される。例えば、画送り、画戻しの順序（例えば、撮影時刻（記録日時）の順序）で、各画像コンテンツの画像コンテンツ識別情報が格納されているものとする。
【００４９】
角度情報２１３には、画像コンテンツ記憶部２００に記憶されている画像コンテンツが生成された際における撮像動作に対応する角度情報が格納される。例えば、撮像装置１００を用いて多視点画像の撮影が行われ、この撮影により生成された多視点画像が画像コンテンツ記憶部２００に記憶されている場合には、その撮影時における角度（所定位置を基準とした場合における角度）が角度情報として格納される。なお、角度情報が付与されていない画像コンテンツの欄には「無」を示す。ここで、多視点画像は、注目被写体（例えば、人物の顔）を基準として撮像装置１００を移動させることにより、その注目被写体に対する視点を変化させる撮像動作により生成される複数の画像である。この撮像動作については、図８（ａ）を参照して詳細に説明する。
【００５０】
代表画像２１４には、グループ化されている複数の画像コンテンツのうちから、代表画像を特定するための代表画像情報が格納される。図４に示す例では、代表画像情報として、代表画像に対応する画像コンテンツの画像コンテンツ識別情報（画像コンテンツ識別番号）を示す。なお、グループ化されていない画像コンテンツの欄には「無」を示す。すなわち、代表画像２１４に画像コンテンツ識別情報が格納されているか否かにより、画像コンテンツがグループ化されているか否か（画像コンテンツがグループに属するか否か）を識別することができる。
【００５１】
操作方法２１５には、グループ画像表示モードが設定されている場合において、グループ化されている複数の画像コンテンツを順次表示する際における操作方法が格納される。この操作方法は、撮像装置１００の姿勢の変化に関する操作方法である。例えば、「横回転」は、図１に示す矢印３００（３０１）を軸として矢印３０２の方向に撮像装置１００を回転させてその姿勢を変化させることにより、複数の画像コンテンツを順次表示させる操作を意味する。また、例えば、「縦回転」は、図１に示す矢印３０３（３０４）を軸として矢印３０５の方向に撮像装置１００を回転させてその姿勢を変化させることにより、複数の画像コンテンツを順次表示させる操作を意味する。また、例えば、「水平移動」は、図１に示す矢印３０３および３０４の方向に撮像装置１００を移動させてその姿勢を変化させることにより、複数の画像コンテンツを順次表示させる操作を意味する。また、例えば、「垂直移動」は、図１に示す矢印３００および３０１の方向に撮像装置１００を移動させてその姿勢を変化させることにより、複数の画像コンテンツを順次表示させる操作を意味する。この操作方法は、例えば、画像コンテンツの生成時における撮像動作方法に応じて、撮像装置１００が自動で決定することができる。また、ユーザ操作によりユーザの好みに応じて適宜決定するようにしてもよい。
【００５２】
グループ種類２１６には、所定の規則に基づいて順序が特定されて互いに関連する複数の画像コンテンツにより構成されるグループ（画像群）に関する種類が格納される。図４では、「連写画像」および「多視点画像」がグループ種類として格納されている例を示す。ここで、「連写画像」は、連写撮影により生成された複数の画像により構成されるグループの種類であり、「多視点画像」は、多視点撮影により生成された複数の画像により構成されるグループの種類である。なお、グループ化されていない画像コンテンツの欄には「無」を示す。また、代表画像表示モードが設定されている場合に、代表画像とともに、グループ種類２１６の内容に基づいてその代表画像に対応するグループの種類を表示することができる。この表示例を図５に示す。
【００５３】
なお、グループ識別情報２１１、角度情報２１３、代表画像２１４、操作方法２１５およびグループ種類２１６に格納されている各情報については、画像ファイル（画像コンテンツ）内に記録するようにしてもよい。例えば、静止画ファイルに関する属性情報として、これらの各情報を記録することができる。そして、画像コンテンツの再生時には、画像コンテンツ内に記録されている各情報を用いることができる。
【００５４】
［代表画像の表示例］
図５は、本発明の第１の実施の形態における代表画像再生部１５０により入出力パネル１０１に表示される代表画像の表示例を示す図である。図５（ａ）には、グループ種類２１６に「多視点画像」が格納されているグループの代表画像を表示する場合における表示例を示す。また、図５（ｂ）には、グループ種類２１６に「連写画像」が格納されているグループの代表画像を表示する場合における表示例を示す。
【００５５】
図５（ａ）に示すように、多視点画像に関するグループの代表画像２５０を入出力パネル１０１に表示する場合には、そのグループが多視点画像に関するグループである旨を示す操作支援情報（装飾画像）２５１および２５２が代表画像２５０の両側に表示される。また、代表画像２５０の上側には、グループ種類表示領域２６２および画サイズ表示領域２６３が設けられ、代表画像２５０の下側には、グループ画像表示モードを設定するための操作支援情報２６１が設けられている。
【００５６】
グループ種類表示領域２６２には、表示されている代表画像に対応するグループの種類が表示される。例えば、表示されている代表画像に対応するグループの種類が、多視点画像に関するグループである場合には、グループ種類表示領域２６２には「多視点」が表示される。
【００５７】
画サイズ表示領域２６３には、表示されている代表画像に対応するグループに属する各画像の画サイズ（例えば、１つの画像に関する画サイズ）が表示される。
【００５８】
操作支援情報２６１は、代表画像表示モードの設定時においてグループ画像表示モードを設定するための操作を支援するための操作ボタンである。すなわち、ユーザが操作支援情報２６１を押下することにより、グループ画像表示モードを設定することができる。また、操作支援情報２６１に対応する矩形内には、グループ種類表示領域２６２におけるグループの種類と同一の文字が表示される。
【００５９】
また、図５（ｂ）に示すように、連写画像に関するグループの代表画像２５５を入出力パネル１０１に表示する場合には、そのグループが連写画像に関するグループである旨を示す操作支援情報（装飾画像）２５６、２５７が代表画像２５５の両側に表示される。また、代表画像２５５の上側には、グループ種類表示領域２６２および画サイズ表示領域２６３が設けられ、代表画像２５５の下側には、グループ画像表示モードを設定するための操作支援情報２６１が設けられている。
【００６０】
このように、代表画像表示モードが設定されている場合には、入出力パネル１０１に表示されている代表画像に係る画像群を構成する各画像の相関性（例えば、グループ種類に対応する）に基づいて、その代表画像の表示態様が画像群毎に変更して表示される。
【００６１】
なお、図５（ｂ）に示すように、表示されている代表画像に対応するグループの種類が、連写画像に関するグループである場合には、グループ種類表示領域２６２には「連写」が表示される。また、操作支援情報２６１に対応する矩形内には、「連写」が表示される。
【００６２】
［画像の表示遷移例］
図６および図７は、本発明の第１の実施の形態における入出力パネル１０１における画像の表示遷移例を模式的に示す図である。図６（ａ）には、画像コンテンツ記憶部２００に記憶されている画像コンテンツを所定の規則（画像コンテンツ識別情報の順序）に従って並べた場合を模式的に示す。なお、図６（ａ）に示す例では、画像コンテンツ記憶部２００に記憶されている画像コンテンツのうち、画像コンテンツ＃１乃至＃１３のみを示す。また、画像コンテンツ＃１乃至＃１３は、図４の画像コンテンツ識別情報２１２に示す＃１乃至＃１３に対応する。なお、図６では、画像コンテンツ識別情報（＃１乃至＃１３）を内部に付した矩形により、各画像コンテンツおよびこれに対応する各画像を模式的に示す。また、グループ化されている画像コンテンツについては、グループ単位で各画像コンテンツを点線の矩形で囲んで示す。
【００６３】
図６（ｂ）には、代表画像表示モードが設定されている場合に入出力パネル１０１に表示される画像の遷移例を示す。図６（ｂ）に示すように、グループ化されていない画像コンテンツ（＃１、＃５、＃６、＃１３）と、グループ化されている画像コンテンツの代表画像（＃３、＃９）とが、ユーザによる画送り操作または画戻し操作に基づいて順次表示される。この画送り操作または画戻し操作は、例えば、撮像装置１００に備えられている操作部材（例えば、タッチパネルや外装されている操作ボタン（図示せず））を用いて行う。また、この画送り操作または画戻し操作は、例えば、グループ画像表示モードの設定時と同様に、撮像装置１００の姿勢の変化に応じて行うようにしてもよい。
【００６４】
図７（ａ）には、図６（ｂ）に示す画像のうち、画像コンテンツ＃６、＃９、＃１３が、ユーザによる画送り操作または画戻し操作に基づいて順次表示される場合における表示遷移例を示す。なお、図７では、画像コンテンツ識別情報（＃６、＃８乃至＃１０、＃１３）を内部に付した矩形により画像コンテンツを表す画像を模式的に示す。このように、ユーザ操作に基づいて各画像を入出力パネル１０１に表示させることができる。ここで、図７（ａ）に示すように、グループ化されている画像コンテンツの代表画像（例えば、＃９）が、入出力パネル１０１に表示されている場合には、グループ画像表示モードを設定するための操作支援情報２６１が表示される。この操作支援情報２６１は、図５に示す操作支援情報２６１と同様である。すなわち、ユーザが操作支援情報２６１に対応する矩形領域を押下することにより、グループ画像表示モードを設定することができる。例えば、グループ化されている画像コンテンツ（例えば、＃３、＃９）の代表画像が入出力パネル１０１に表示されている状態で、操作支援情報２６１の押下操作が行われた場合にはグループ画像表示モードが設定される。このように、操作支援情報２６１の押下操作がグループ画像表示モードへの入り口となる。また、グループ画像表示モードが設定された場合には、グループ画像表示モードの設定操作（操作支援情報２６１の押下操作）が行われた際に表示されていた代表画像に対応するグループに属する各画像コンテンツが順次表示される。
【００６５】
一方、図７（ａ）に示すように、グループ化されていない画像コンテンツ（例えば、＃６、＃１３）が入出力パネル１０１に表示されている場合には、操作支援情報２６１が表示されない。このため、グループ化されていない画像コンテンツ（例えば、＃６、＃１３）が入出力パネル１０１に表示されている状態では、操作支援情報２６１の押下操作が行うことができず、グループ画像表示モードを設定することができない。
【００６６】
ここで、グループ化されている画像コンテンツ（＃９）の代表画像が入出力パネル１０１に表示されている状態で、グループ画像表示モードの設定操作（操作支援情報２６１の押下操作）が行われた場合を想定する。この場合には、グループ画像再生部１６０が、グループ画像表示モードの設定操作が行われた際に表示されていた代表画像に対応するグループに属する各画像コンテンツを、画像コンテンツ記憶部２００から取得する。また、グループ画像再生部１６０が、そのグループに属する各画像コンテンツに関連付けられている画像管理情報を、画像管理情報記憶部２１０から取得する。続いて、操作方法決定部１８０が、その取得された画像管理情報に基づいて、そのグループに属する各画像コンテンツから、表示対象となる画像（表示対象画像）を決定するとともに、これらの表示対象画像を表示させるための操作方法を決定する。この表示対象画像の決定方法およびその操作方法の決定方法については、図８乃至図１４を参照して詳細に説明する。
【００６７】
続いて、グループ画像再生部１６０が、その決定された画像コンテンツに基づいて、各画像を描画メモリ１７０に描画する。この場合に、グループ画像再生部１６０は、所定の規則（例えば、画像コンテンツ識別情報の順序）に従って各画像を描画メモリ１７０に描画する。この描画メモリ１７０における画像の描画例を図６（ｃ）に示す。
【００６８】
図６（ｃ）には、グループ画像表示モードが設定された際に表示されていた代表画像に対応するグループに属する各画像コンテンツが描画メモリ１７０に描画された場合を模式的に示す。このように画像コンテンツの描画処理が行われている場合には、グループ画像再生部１６０は、その旨を入出力パネル１０１に表示させ、グループ画像表示モードにおける表示処理を行わない。この場合における表示例を図７（ｂ）に示す。なお、図６（ｂ）では、グループ＃１０５に属する各画像コンテンツの全てが、表示対象画像として決定された場合における描画例を示す。
【００６９】
図７（ｂ）には、グループ画像表示モードの設定操作が行われた直後に画像コンテンツの描画処理が行われている場合における表示例を示す。例えば、入出力パネル１０１には、グループ画像表示モードが設定された際に表示されていた代表画像（＃９）に、画像コンテンツの描画処理である旨を示す操作支援情報４０２が重ねて表示される。そして、画像コンテンツの描画処理が終了した場合には、グループ画像再生部１６０は、グループ画像表示モードにおける画像の表示切替操作を支援するための操作支援情報を入出力パネル１０１に表示させる。この表示例を図７（ｃ）に示す。
【００７０】
図７（ｃ）には、グループ画像表示モードの設定操作後に画像コンテンツの描画処理が終了した場合における表示例を示す。例えば、入出力パネル１０１には、グループ画像表示モードが設定された際に表示されていた代表画像（＃９）に、グループ画像表示モードにおける画像の表示切替操作を支援するための操作支援情報４０３および４０４が重ねて表示される。操作支援情報４０３および４０４は、入出力パネル１０１に表示されているグループに属する各画像を表示させるための操作を支援するための操作ガイドである。図７（ｃ）に示す操作支援情報４０４は、ユーザが撮像装置１００を手に持った状態で、図１（ａ）に示す矢印３００（３０１）を軸として撮像装置１００を回転させる操作を行う場合における操作を支援するためのものである。また、操作支援情報４０３は、最初に表示される操作支援情報であり、ユーザ操作または一定時間経過により消去させることができる。すなわち、そのメッセージの意味をユーザが理解したと考えられる場合には、そのメッセージを消去する。このように消去することにより、傾けるという操作が正しい操作であることをユーザに通知することができる。なお、各図では、説明の容易のため、各操作支援情報を比較的大きくして示す。
【００７１】
ここで、図７（ｃ）に示すように、グループ画像表示モードが設定され、表示対象画像に重ねて操作支援情報４０３および４０４が表示されている状態で、代表画像表示モードを設定する設定操作について説明する。この状態で、代表画像表示モードを設定する場合には、例えば、ユーザが入出力パネル１０１における表示面に接触するタッチ操作を行う。このタッチ操作が行われると、矢印４０５に示すように、グループ画像表示モードから代表画像表示モードに切り替えられる（すなわち、代表画像表示モードが設定される）。このように代表画像表示モードが設定された直後には、グループ画像表示モードの設定時に表示されていたグループの代表画像（例えば、画像＃９）が表示される。なお、入出力パネル１０１におけるタッチ操作以外に、他の操作部材を用いた設定操作により代表画像表示モードを設定するようにしてもよい。
【００７２】
［角度情報の付与例］
図８は、本発明の第１の実施の形態における撮像装置１００を用いて行われる撮像動作時における被写体と撮像装置１００との位置関係の概略と、その撮像動作時に生成された撮像画像群の一例とを示す図である。
【００７３】
図８（ａ）には、撮像装置１００を用いて行われる撮像動作時における注目被写体（人物５００の顔）と、撮像装置１００との位置関係の概略を模式的に示す。図８（ａ）に示す例では、人物５００の顔を注目被写体とし、撮像装置１００を移動させることにより、人物５００の顔に対する視点を変化させて撮像動作を行う例を示す。具体的には、図８（ａ）には、人物５００の正面を撮影する場合（撮像動作時の角度情報Ａｉを０度とする場合）を示す。同様に、図８（ａ）には、人物５００の右斜め側面を撮影する場合（撮像動作時の角度情報Ａｉを−６０度とする場合）、人物５００の左斜め側面を撮影する場合（撮像動作時の角度情報Ａｉを＋６０度とする場合）を示す。なお、図８（ａ）では、人物５００（各画像に含まれる人物５００を含む）に関する顔等を簡略化して示す。また、撮像装置１００を用いて行われた撮像動作時の角度情報Ａｉを、撮像装置１００の下部分に表す（Ａｉ＝−６０度、Ａｉ＝０度、Ａｉ＝＋６０度）。
【００７４】
図８（ｂ）には、撮像装置１００により生成された撮像画像群（画像（Ｃ０乃至Ｃ５）５１０乃至５１５）を示す。なお、Ｃｉは、各画像を識別するための識別情報であり、ｉは０≦ｉ≦ｎを満たす整数であるものとする。図８（ｂ）に示す例では、ｎ＝５である。
【００７５】
具体的には、画像（Ｃ０乃至Ｃ２）５１０乃至５１２は、人物５００の右斜め側面を撮影した場合（撮像動作時の角度情報Ａｉが−６０度、−５５度、−２５度である場合）における撮像画像である。また、画像（Ｃ３乃至Ｃ５）５１３乃至５１５は、人物５００の左斜め側面を撮影した場合（撮像動作時の角度情報Ａｉが＋４０度、＋５５度、＋６０度である場合）における撮像画像である。なお、図８（ｂ）では、図８（ａ）と同様に、画像（Ｃ０乃至Ｃ５）５１０乃至５１５に含まれる人物５００に関する顔等を簡略化して示す。また、撮像動作時の角度情報Ａｉ（画像Ｃｉの撮像動作時における角度）については、各画像の下部分に表す（Ａ０＝−６０度、Ａ１＝−５５度、…、Ａ４＝＋５５度、Ａ５＝＋６０度）。
【００７６】
このように、注目被写体（人物５００の顔）に対する視点を変化させることにより生成された画像（Ｃ０乃至Ｃ５）５１０乃至５１５については、多視点画像としてグループ化され、画像コンテンツ記憶部２００に記憶される。また、これらの各画像管理情報（例えば、角度情報、グループ種類）が画像管理情報記憶部２１０に記憶される。そして、撮像装置１００を用いて画像（Ｃ０乃至Ｃ５）５１０乃至５１５を表示させる場合には、撮像装置１００を横回転させることにより、そのグループを構成する画像（Ｃ０乃至Ｃ５）５１０乃至５１５を順次表示させることができる。
【００７７】
ここで、画像（Ｃ０乃至Ｃ５）５１０乃至５１５は、同一人物の顔について異なる視点から撮像された画像である。このため、撮像装置１００を左右に傾けるユーザ操作を早く行い、画送りまたは画戻しを早く行うことにより、３次元の物体（人物５００の顔）を見ているようにユーザに認識させることができる。すなわち、撮像装置１００を左右に傾けるユーザ操作により、擬似的に３次元画像を見ているようにユーザに認識させることができる。
【００７８】
このように、注目被写体がさまざまな角度から撮影された画像群をユーザのジェスチャー操作により高速画送りまたは画戻しをさせることにより、擬似立体視のような画像を奥行きのある画像として楽しむことができる。すなわち、人物の顔や車等の対象物を立体的に鑑賞したい場合に、ユーザの手動操作によりその対象物の擬似的な立体画像を容易に鑑賞することができる。
【００７９】
このように画像群を表示させる場合には、その操作方法に係る角度情報（回転角度の全範囲および基準角度）の決定が重要である。そこで、以下では、その操作方法に係る角度情報の決定方法について図面を参照して詳細に説明する。
【００８０】
［角度情報の正規化例］
図９は、本発明の第１の実施の形態における撮像装置１００の姿勢の変化と操作方法決定部１８０により行われる角度情報の正規化の一例を示す図である。図９（ａ）には、グループ画像表示モードが設定されている場合において、画像コンテンツ記憶部２００に記憶されている画像コンテンツを表示する場合における撮像装置１００の遷移例を示す。なお、図９（ａ）に示す例では、撮像装置１００の底面（すなわち、シャッターボタン１０２が設けられている面の反対側の面）側の外観を示す。また、図９（ｂ）、図１０（ｂ）、図１３（ａ）についても同様に、撮像装置１００の底面側の外観を示す。
【００８１】
図９（ｂ）には、撮像装置１００の遷移に対応する撮像装置１００の操作範囲（回転角度の全範囲）を模式的に示す。この例では、図１に示す矢印３００（３０１）を軸として撮像装置１００を回転させてその姿勢を変化させることにより画送りまたは画戻しを行う例を示す。この場合における画送りまたは画戻しの際に基準となる傾け角度（基準角度）をＶｉとする。この傾け角度Ｖｉは、次の式１により求めることができる。
Ｖｉ＝γ×ｊ  …  式１
ここで、γは、手ブレ等がなく、人の手で維持することができる傾け精度を示す値である。これらの値は、姿勢検出部１２０（傾き検出装置）の精度や性能を考慮して決定することができる。また、ｊは、（−ｍ≦ｊ≦ｍの整数）を満たす値であり、ｉは、０≦ｉ≦ｎを満たす整数であるものとする。図９（ｂ）に示す例では、ｎ＝４である。
【００８２】
ここで、画像群を構成する各画像Ｃｉに付与された角度情報Ａｉは、撮像動作時における注目被写体に対する角度である。このため、角度情報Ａｉに基づいて、各画像Ｃｉと、傾け角度Ｖｉとを関連付けることが好ましい。そこで、角度情報Ａｉが傾け角度Ｖｉに対応するように、角度情報Ａｉについて正規化が行われる。具体的には、角度情報Ａｉが正規化された正規化角度情報Ｂｉは、次の式２により求めることができる。
Ｂｉ＝（Ｖｍａｘ／Ａａｂｓ）×Ａｉ  …  式２
ここで、Ｖｍａｘは、最大傾け角度の絶対値であり、使用者が表示画面を見ることが可能な角度とする。Ｖｍａｘは、例えば、画面の視野角等に制限される。また、Ａａｂｓは、角度情報Ａｉの範囲を示す値（絶対値）である。
【００８３】
図９（ｂ）に示す例では、Ｖｍａｘ＝１８０°とし、γ＝４５°とし、ｍ＝２（すなわち、−２≦ｊ≦２）とする例を示す。また、角度情報Ａｉの範囲は、画像（Ｃ０）５１０の角度情報Ａ０（＝−６０度）と、画像（Ｃ５）５１５の角度情報Ａ５（＝＋６０度）とにより特定される。すなわち、Ａａｂｓ＝｜−６０°−６０°｜＝１２０°となる。
【００８４】
このため、図９（ｂ）に示す例では、Ｂ０＝（１８０°（Ｖｍａｘ）／１２０°（Ａａｂｓ））×（−６０°（Ａ０））＝−９０°となる。同様に、Ｂ１＝−８２．５°、Ｂ２＝−３７．５°、Ｂ３＝６０°、Ｂ４＝８２．５°、Ｂ５＝９０°となる。これらの正規化角度情報Ｂｉが、操作方法決定部１８０により算出される。
【００８５】
図９（ｃ）には、画像（Ｃ０乃至Ｃ５）５１０乃至５１５と、これらに付与されている角度情報Ａｉおよびこれらについて算出された正規化角度情報Ｂｉとを関連付けて示す。
【００８６】
このように画像Ｃｉに関連付けられている撮像動作時における角度情報を正規化することにより、傾け角度（基準角度）Ｖｉに画像Ｃｉを適切に割り当てることができる。
【００８７】
［表示対象画像と傾け角度との関連付け例］
図１０は、本発明の第１の実施の形態における操作方法決定部１８０による表示対象画像と傾け角度の範囲との関連付け方法およびこの関連付け後に表示される画像および操作支援情報の一例を示す図である。図１０（ａ）および（ｂ）には、操作方法決定部１８０による表示対象画像と傾け角度の範囲との関連付け方法を模式的に示す。
【００８８】
図１０（ａ）には、画像（Ｃ０乃至Ｃ５）５１０乃至５１５と、これらに付与されている角度情報Ａｉおよびこれらについて算出された正規化角度情報Ｂｉとを関連付けて示す。なお、図１０（ａ）に示す例は、画像（Ｃ１）５１１に対応する矩形および人物５００に対応する輪郭を点線で表す点以外は、図９（ｃ）と同一である。
【００８９】
図１０（ｂ）には、撮像装置１００の遷移に対応する撮像装置１００の操作範囲（回転角度の全範囲）を模式的に示す。なお、図１０（ｂ）に示す例は、図９（ｂ）に示す例と同様である。
【００９０】
ここで、図１０（ａ）および（ｂ）に示す例では、画像（Ｃ０乃至Ｃ５）５１０乃至５１５の数（６）が、傾け角度（基準角度）Ｖｉの数（５）よりも大きい。このように表示対象グループに属する画像の数が、傾け角度（基準角度）Ｖｉの数よりも大きい場合には、表示対象グループに属する画像について間引き処理が行われる。すなわち、操作方法決定部１８０が、傾け角度（基準角度）Ｖｉの数の範囲内となるように、表示対象グループに属する画像から所定数の画像を表示対象画像として抽出する。
【００９１】
具体的には、正規化角度情報Ｂｉが算出された画像群（画像Ｃｉ（０≦ｉ≦ｎ））の中から、傾け角度（基準角度）Ｖｉに最も近い正規化角度情報Ｂｉに係る画像Ｃｉを傾け角度（基準角度）Ｖｉ毎に選択して画像ＣＣｉとする。
【００９２】
図１０（ａ）および（ｂ）では、傾け角度（基準角度）Ｖ０からＶ４に向かって、傾け角度（基準角度）Ｖｉに最も近い正規化角度情報Ｂｉに係る画像Ｃｉが選択され、選択された画像Ｃｉと傾け角度（基準角度）Ｖｉとが関連付けられる例を示す。
【００９３】
具体的には、傾け角度Ｖ０（＝−９０°）に最も近い正規化角度情報Ｂ０（＝−９０°）に係る画像Ｃ０が選択され、画像ＣＣ０として傾け角度Ｖ０に関連付けられる。同様に、傾け角度Ｖ１（＝−４５°）に最も近い正規化角度情報Ｂ２（＝−３７．５°）に係る画像Ｃ２が選択され、画像ＣＣ１として傾け角度Ｖ１に関連付けられる。また、傾け角度Ｖ２（＝０°）に最も近い正規化角度情報Ｂ３（＝＋６０°）に係る画像Ｃ３が選択され、画像ＣＣ２として傾け角度Ｖ２に関連付けられる。また、傾け角度Ｖ３（＝４５°）に最も近い正規化角度情報Ｂ４（＝＋８２．５°）に係る画像Ｃ４が選択され、画像ＣＣ３として傾け角度Ｖ３に関連付けられる。また、傾け角度Ｖ４（＝９０°）に最も近い正規化角度情報Ｂ５（＝＋９０°）に係る画像Ｃ５が選択され、画像ＣＣ４として傾け角度Ｖ４に関連付けられる。
【００９４】
すなわち、画像群（画像Ｃｉ（０≦ｉ≦５））の中から、ＣＣｉ（＝［Ｃ０，Ｃ２，Ｃ３，Ｃ４，Ｃ５］＝［ＣＣ０，ＣＣ１，ＣＣ２，ＣＣ３，ＣＣ４］）が選択される。
【００９５】
このように選択されて傾け角度Ｖｉに関連付けられた各画像ＣＣｉが、撮像装置１００の傾きに応じて順次表示される。例えば、撮像装置１００の姿勢が、傾け角度（基準角度）Ｖｉの状態にある場合には、傾け角度（基準角度）Ｖｉに関連付けられている画像ＣＣｉが表示される。そして、撮像装置１００の姿勢が、傾け角度（基準角度）Ｖｉ−１または傾け角度（基準角度）Ｖｉ＋１になるまでの間、画像ＣＣｉが表示され続ける。
【００９６】
図１０（ｃ）には、図１０（ａ）および（ｂ）に示す関連付け方法により傾け角度Ｖｉに関連付けられた各画像ＣＣｉを入出力パネル１０１に表示する場合における表示例を示す。図１０（ｃ）に示す例では、表示対象画像（傾け角度Ｖｉに関連付けられた画像ＣＣｉ）に操作支援情報５２０を重ねて表示させる例を示す。
【００９７】
操作支援情報５２０は、グループ画像表示モードが設定されている場合において、表示対象となるグループに属する画像（抽出された全ての表示対象画像）と、入出力パネル１０１に表示されている画像との関係を表すインジケータである。具体的には、操作支援情報５２０は、抽出された全ての表示対象画像（Ｃ０、Ｃ２乃至Ｃ５）５１０、５１２乃至５１５と、入出力パネル１０１に表示されている１つの画像との関係を表す。例えば、全ての画像（Ｃ０、Ｃ２乃至Ｃ５）５１０、５１２乃至５１５のうち、入出力パネル１０１に表示されている１つの画像に対応する操作支援情報５２０における矩形領域が、他の領域と異なる表示態様とされる。なお、図１０（ｃ）に示す例では、説明の容易のため、操作支援情報５２０を表す矩形内に、対応する符号（Ｖ０乃至Ｖ４）を付して示す。
【００９８】
すなわち、図１０（ｃ）に示す状態では、表示対象画像（Ｃ０、Ｃ２乃至Ｃ５）５１０、５１２乃至５１５のうち、画像（Ｃ３）５１３が入出力パネル１０１に表示されている状態を示す。また、撮像装置１００が左側方向に回転され、図１０（ｂ）に示すＶ１を超えた状態となった場合には、操作支援情報５２０における矩形領域Ｖ１が、他の領域と異なる表示態様とされる。また、撮像装置１００が左側方向にさらに回転され、図１０（ｂ）に示すＶ０を超えた状態となった場合には、操作支援情報５２０における矩形領域Ｖ０が、他の領域と異なる表示態様とされる。一方、撮像装置１００が右側方向に回転され、図１０（ｂ）に示すＶ３、Ｖ４を超えた状態となった場合についても同様に、操作支援情報５２０における矩形領域Ｖ３、Ｖ４が、他の領域と異なる表示態様とされる。
【００９９】
このようにグループ画像表示モードが設定されている場合に、表示対象画像とともにインジケータを表示することにより、表示対象画像の全体の数と、この表示対象画像の全体における表示画像の位置（表示順における位置）を容易に把握することができる。
【０１００】
以上では、各画像に付与されている角度情報を正規化して、一定間隔の角度に各画像を割り当てて、その角度に応じて各画像を表示する例を示した。ただし、その算出された各画像の正規化角度情報の間隔に応じて、傾け角度（基準角度）を決定して、その角度に応じて各画像を表示するようにしてもよい。また、操作支援情報として、インジケータを表示する場合には、その算出された各画像の正規化角度情報の間隔に応じて、インジケータの表示領域を算出するようにしてもよい。このインジケータの表示領域の算出方法および表示例を、図１１および図１２に示す。
【０１０１】
［インジケータ表示の変形例］
図１１は、本発明の第１の実施の形態における操作方法決定部１８０によるインジケータの表示領域の算出方法を模式的に示す図である。
【０１０２】
図１１（ａ）には、画像（Ｃ０乃至Ｃ５）５１０乃至５１５と、これらに付与されている角度情報Ａｉおよびこれらについて算出された正規化角度情報Ｂｉとを関連付けて示す。なお、図１１（ａ）に示す例は、図１０（ａ）と同一であるため、ここでの説明を省略する。
【０１０３】
図１１（ｂ）には、算出された表示領域とインジケータとの関係を模式的に示す。例えば、操作方法決定部１８０が、画像（Ｃ０乃至Ｃ５）５１０乃至５１５について算出された正規化角度情報Ｂｉについてさらに正規化を行う。具体的には、操作方法決定部１８０が、正規化角度情報ＢＢｉ（＝ＣＣｉの正規化角度情報＋９０度）を算出する。そして、正規化角度情報ＢＢｉを用いてインジケータの表示領域Ｗｉを次の式３により求めることができる。
Ｗｉ＝ＢＢｉ／Ｖｍａｘ×Ｌ  …式３
ここで、Ｌは、入出力パネル１０１に表示されるインジケータの長さを示す値である。また、ＢＢｉは、上述した正規化により算出された値である。
【０１０４】
ここで、インジケータの表示領域Ｗｉは、図１１（ｂ）に示すインジケータ（長さＬ）における左側の端部からの長さを示す値である。このように算出されたインジケータの表示領域Ｗｉに基づく表示例を図１２に示す。
【０１０５】
図１２は、本発明の第１の実施の形態における操作方法決定部１８０により算出されたインジケータの表示領域に基づくインジケータの表示例を示す図である。
【０１０６】
図１２（ａ）には、図１１に示す例で算出された表示領域Ｗｉとインジケータとの関係を模式的に示す。なお、図１２（ａ）に示す例は、図１１に示す例で算出された表示領域Ｗｉにより特定されるインジケータ上の位置に対応する各矩形内に、画像の符号（Ｃ０、Ｃ２乃至Ｃ５）を付した点以外は、図１１（ｂ）と同様である。
【０１０７】
図１２（ｂ）には、図１２（ａ）に示す表示領域Ｗｉとインジケータとの関係に対応するインジケータ（操作支援情報）５３０が入出力パネル１０１に表示されている状態を示す。図１２（ｂ）に示す例では、画像（Ｃ３）５１３に対応する領域が、他の領域と異なる表示態様とされている状態を示す。
【０１０８】
図１２（ｃ）乃至（ｆ）には、図１２（ａ）に示す表示領域Ｗｉとインジケータとの関係に対応するインジケータ５３０の入出力パネル１０１における表示状態を示す。なお、図１２（ｃ）に示す例では、画像（Ｃ２）５１２に対応する領域が、他の領域と異なる表示態様とされている状態を示し、図１２（ｄ）に示す例では、画像（Ｃ０）５１０に対応する領域が、他の領域と異なる表示態様とされている状態を示す。また、図１２（ｅ）に示す例では、画像（Ｃ４）５１４に対応する領域が、他の領域と異なる表示態様とされている状態を示し、図１２（ｆ）に示す例では、画像（Ｃ５）５１５に対応する領域が、他の領域と異なる表示態様とされている状態を示す。
【０１０９】
以上では、角度情報が関連付けて記憶されている画像コンテンツを表示する場合を例にして説明した。しかしながら、撮像動作時において角度情報が記録されていない画像コンテンツを表示する場合も想定される。そこで、以下では、撮像動作時において角度情報が記録されていない画像コンテンツを表示する場合について説明する。
【０１１０】
［表示対象画像数の決定例および表示対象画像の間引き例］
図１３は、本発明の第１の実施の形態における操作方法決定部１８０による表示対象画像数の決定方法および表示対象画像の間引き方法を模式的に示す図である。
【０１１１】
ここで、撮像動作時において角度情報が記録されていない画像コンテンツを表示する場合において、表示対象画像の数が多い場合には、ユーザによる撮像装置１００の傾け操作が微小であっても画送りまたは画戻しが行われる可能性がある。この場合には、ユーザの意図しない画送りまたは画戻しが行われることも想定される。そこで、撮像動作時において角度情報が記録されていない画像コンテンツを表示する場合には、ユーザによる撮像装置１００の傾け操作可能範囲に応じて、表示対象画像の数を決定し、この表示対象画像のみを表示させる。
【０１１２】
図１３（ａ）には、撮像装置１００の遷移に対応する撮像装置１００の操作範囲（回転角度の全範囲）を模式的に示す。なお、図１３（ａ）に示す撮像装置１００の操作範囲は、図９（ｂ）等に示すものと略同様である。
【０１１３】
例えば、操作方法決定部１８０が、表示対象画像数Ｍを決定する場合には、次の式４を用いて求めることができる。
Ｍ＝Ｖｍａｘ／γ＋１  …式４
ここで、Ｍは、表示可能枚数を示す値である。また、Ｖｍａｘは、式２と同様に、最大傾け角度の絶対値である。また、γは、式１と同様に、手ブレ等がなく、人の手で維持することができる傾け精度を示す値である。
【０１１４】
なお、図１３（ａ）に示す例では、角度Ｖｍａｘが１８０度であり、角度γが４５度である場合を想定して説明する。この場合には、表示対象画像数Ｍ＝５（１８０度／４５度＋１）が算出される。また、表示対象グループに属する画像は、図１３（ｂ）に示す画像（Ｃ０乃至Ｃ５）５１０乃至５１５であるものとする。
【０１１５】
ここで、図１３に示す例では、画像（Ｃ０乃至Ｃ５）５１０乃至５１５の数（６）が、表示対象画像数Ｍの数（５）よりも大きい。このように表示対象グループに属する画像の数が、表示対象画像数Ｍの数（５）よりも大きい場合には、表示対象画像が表示対象画像数Ｍ以下となるように間引きを行う必要がある。そこで、図１３（ｂ）では、間引き処理（抽出処理）について説明する。
【０１１６】
図１３（ｂ）には、表示対象画像の間引き処理の流れを示す。この例では、表示対象画像数Ｍとして５が決定された場合に、６つの画像（画像Ｃ０乃至Ｃ５）から、５つの画像を抽出する例を示す。
【０１１７】
例えば、操作方法決定部１８０が、表示対象画像を抽出する場合には、表示対象グループに属する各画像Ｃｉについて、次の式５を計算する。
ｉ  ｍｏｄ  Ｄ＜（Ｄ−Ｍ）  …式５
ここで、ｘ  ｍｏｄ  ｙは、ｘをｙで割った余りを表す値である。また、Ｄは、表示対象画像数であり、Ｍは、表示可能数である。
【０１１８】
具体的には、操作方法決定部１８０が、表示対象グループに属する画像Ｃｉ毎に、ｉ  ｍｏｄ  Ｄ＜（Ｄ−Ｍ）が成立するか否かを判断する。そして、ｉ  ｍｏｄ  Ｄ＜（Ｄ−Ｍ）が成立する画像Ｃｉを、表示対象画像から取り除く。すなわち、操作方法決定部１８０が、ｉ  ｍｏｄ  Ｄ＜（Ｄ−Ｍ）が成立しない画像Ｃｉを、表示対象画像として抽出し、この抽出された画像Ｃｉを画像ＣＣｉとする。
【０１１９】
例えば、図１３（ｂ）に示す例では、Ｄ＝６、Ｍ＝５であり、Ｄ−Ｍ＝１であるため、画像Ｃ０が表示対象画像から除外される。すなわち、画像群（画像Ｃｉ（０≦ｉ≦５））の中から、ＣＣｉ（＝［Ｃ１，Ｃ２，Ｃ３，Ｃ４，Ｃ５］＝［ＣＣ０，ＣＣ１，ＣＣ２，ＣＣ３，ＣＣ４］）が抽出される。
【０１２０】
図１３（ｃ）には、抽出された画像ＣＣｉと傾け角度（基準角度）Ｖｉとを関連付ける例を模式的に示す。図１３（ｃ）に示すように、抽出されたＣＣｉ＝［Ｃ１，Ｃ２，Ｃ３，Ｃ４，Ｃ５］を、傾け角度（基準角度）Ｖｉに割り当て、画像ＣＣｉと傾け角度（基準角度）Ｖｉとが関連付けられる。
【０１２１】
［インジケータの表示領域設定例］
図１４は、本発明の第１の実施の形態における操作方法決定部１８０によるインジケータの表示領域の設定方法を模式的に示す図である。図１４（ａ）には、図１３に示す例で抽出された画像（Ｃ１乃至Ｃ５）５１１乃至５１５を示す。
【０１２２】
図１４（ｂ）には、設定された表示領域とインジケータとの関係を模式的に示す。図１３に示すように、撮像動作時において角度情報が記録されていない画像コンテンツを表示する場合には、一定間隔毎の傾け角度（基準角度）Ｖｉに割り当てられる。このため、図１４（ｂ）に示すように、インジケータの表示領域を設定する場合についても、傾け角度（基準角度）Ｖｉに関連付けて、一定間隔毎に割り当てられることができる。
【０１２３】
以上では、グループ画像表示モードが設定されている場合には、表示対象画像とともに、表示対象画像の全体の数とこの全体における表示画像の位置（表示順における位置）を示す操作支援情報（例えば、インジケータ）を表示する例を示した。ただし、表示対象画像とともに、撮像装置１００の姿勢と、画送りまたは画戻しとの関係を示す操作支援情報（例えば、傾き具合メータ）を表示するようにしてもよい。また、これらの操作支援情報（例えば、インジケータおよび傾き具合メータ）を同時に表示するようにしてもよい。以下では、撮像装置１００の姿勢と、画送りまたは画戻しとの関係を示す操作支援情報（傾き具合メータ）を表示する例について説明する。
【０１２４】
［回転角度に基づく傾き具合メータの表示遷移例］
図１５は、本発明の第１の実施の形態におけるグループ画像再生部１６０により表示される操作支援情報（傾き具合メータ）の表示遷移例を示す図である。この例では、撮像装置１００の回転角度に応じて、画送りまたは画戻しを行う場合における表示遷移例を示す。また、この例では、画送りまたは画戻しを行う際の基準角度が２０度であり、撮像装置１００の傾き角度が２０度を超える毎に画送りまたは画戻しを行う例を示す。なお、図１５乃至図１７に示す例では、傾き具合メータを構成する各矩形上に、対応する角度を表す。
【０１２５】
図１５（ａ）には、ユーザにより右側方向に傾けられた場合における撮像装置１００の遷移を示す。図１５（ｂ）には、ユーザにより撮像装置１００が右側方向に傾けられた場合に、その傾け角度に応じて表示される傾き具合メータの表示遷移を示す。なお、図１５（ａ）および図１５（ｂ）は、互いに対応しているが、図１５（ｂ）の一部は省略して示す。
【０１２６】
例えば、図１５（ａ）の最上部に示す状態６１１は、撮像装置１００が水平面３３０と同一面に存在する状態であるものとする。この場合には、図１５（ｂ）の最上部の状態６０１に示すように、傾き具合メータの真ん中部分の矩形領域のみが、他の領域と異なる表示態様（例えば、黒色）となっているものとする。なお、以下では、他の領域と異なる表示態様を黒色と称して説明する。
【０１２７】
例えば、図１５（ａ）に示す状態６１２および６１３のように、ユーザが撮像装置１００を持った状態で右側方向に回転をさせていく場合を想定する。この場合に、撮像装置１００の右側方向への回転角度θが５度に達した場合には、図１５（ｂ）の状態６０２に示すように、傾き具合メータの真ん中から右側部分の２つの矩形領域が黒くなるが、画送りは行われない。さらに、ユーザが撮像装置１００を持った状態で、右側方向に回転をさせていくと、回転角度θに応じて、傾き具体メータの真ん中から右側部分の矩形領域が順次黒くなっていく。具体的には、回転角度θが１０度に達した場合には、傾き具体メータの真ん中から右側部分の２つの矩形領域が黒くなり（状態６０３）、回転角度θが１５度に達した場合には、傾き具体メータの真ん中から右側部分の３つの矩形領域が黒くなる（状態６０４）。ただし、状態６０１乃至６０４の場合には、画送りは行われない。
【０１２８】
続いて、撮像装置１００の右側方向への回転角度θが２０度に達した場合には、状態６０５に示すように、傾き具体メータの真ん中から右側部分が全て黒くなり、画送りの傾きに達した旨を表示するとともに、画送りが行われる。
【０１２９】
このように画送りが行われ、次の画像が入出力パネル１０１に表示された後には、状態６０６に示すように、傾き具体メータの真ん中部分の矩形領域のみが黒くなる。すなわち、状態６０６における傾き具体メータは、撮像装置１００が水平面３３０と同一面に存在する状態（状態６０１）と同じとなる。
【０１３０】
同様に、ユーザが撮像装置１００を持った状態で、右側方向に回転をさせていくと、回転角度θに応じて、図１５（ｂ）の状態６０７および６０８に示すように、傾き具体メータにおける矩形領域が黒くなるように表示される。
【０１３１】
ここで、表示対象画像のうち、最後の画像を画送りする角度まで、右側方向への回転が行われた場合には、傾き具体メータが状態６０５と同じ状態となる。これにより、これ以上の右側方向への回転が行われた場合でも、画送りが行われない旨を通知することができる。
【０１３２】
また、撮像装置１００が左側方向に回転された場合についても同様に、傾き具合メータの真ん中から左側部分の矩形領域が順次黒くなる。
【０１３３】
以上では、基準角度（例えば、２０度）を超える毎に、画送りまたは画戻しを行う例を示したが、他の操作方法により画送りまたは画戻しを行うことができる。そこで、以下では、他の操作方法により画送りまたは画戻しを行う例を示す。
【０１３４】
図１６は、本発明の第１の実施の形態におけるグループ画像再生部１６０により表示される操作支援情報（傾き具合メータ）の表示遷移例を示す図である。この例では、撮像装置１００の回転角度が一定角度に達した後にその状態が維持されている場合に、画送り画戻しを順次行う場合における表示遷移例を示す。また、この例では、画送りまたは画戻しを行う際の基準角度が２０度であり、撮像装置１００の傾き角度が２０度を維持している期間、画送りを順次行う例を示す。なお、図１６および図１７では、図１５（ａ）に示す撮像装置１００の遷移例を省略する。
【０１３５】
図１６（ａ）には、ユーザにより撮像装置１００が右側方向に傾けられた場合に、その傾け角度に応じて表示される傾き具合メータの表示遷移を示す。なお、図１６（ａ）に示す状態６２１乃至６２５は、図１５（ｂ）に示す状態６０１乃至６０５に対応する。すなわち、図１５（ａ）に示す撮像装置１００の状態６１２および６１３のように、ユーザが撮像装置１００を持った状態で右側方向に回転をさせていく場合には、図１５（ｂ）に示す状態６０１乃至６０４と同様となる。また、状態６２１乃至６２４の場合には、画送りは行われない。
【０１３６】
続いて、撮像装置１００の右側方向への回転角度θが２０度に達した場合には、状態６２５に示すように、傾き具体メータの真ん中から右側部分が全て黒くなり、画送りの傾きに達した旨を表示するとともに、画送りが行われる。
【０１３７】
図１６（ｂ）には、撮像装置１００の右側方向への回転角度θが２０度に達した後に、回転角度θが維持された場合（または回転角度θ以上の状態が維持された場合）における傾き具合メータの表示例を示す。
【０１３８】
このように撮像装置１００の右側方向への回転角度θが２０度に達した後に、回転角度θが維持された場合には画送りが行われ、次の画像が入出力パネル１０１に表示された後には状態６２６となる。この状態６２６は、状態６２５が維持されている状態である。すなわち、状態６２６における傾き具体メータは、撮像装置１００の右側方向への回転角度θが２０度に達した状態（状態６２５）と同じとなる。また、回転角度θが維持されている状態では、一定間隔で画送りが行われる。
【０１３９】
図１６（ｃ）には、撮像装置１００の右側方向への回転角度θが２０度に達した後に、回転角度θが戻された場合における傾き具合メータの表示例を示す。
【０１４０】
このように撮像装置１００の右側方向への回転角度θが２０度に達した後に、回転角度θが戻された場合（すなわち、回転角度θが２０度未満となった場合）には、画送りが行われ、次の画像が入出力パネル１０１に表示された後には状態６２７となる。すなわち、撮像装置１００の右側方向への回転角度θが２０度に達した後に、回転角度θが戻された場合には、その戻された角度に応じて、傾き具合メータの表示を戻し、画送りを停止させる。
【０１４１】
また、撮像装置１００が左側方向に回転された場合についても同様に、傾き具合メータの真ん中から左側部分の矩形領域が順次黒くなる。
【０１４２】
以上では、撮像装置１００の回転角度が、画送りまたは画戻しの基準角度を超えるか否かに応じて、画送りまたは画戻しを行う例を示した。ただし、例えば、撮像装置１００の回転角速度が、基準を超えるか否かに応じて、画送りまたは画戻しを行うようにしてもよい。そこで、以下では、撮像装置１００の回転角速度が、基準を超えるか否かに応じて、画送りまたは画戻しを行う例について説明する。
【０１４３】
［回転角速度に基づく傾き具合メータの表示遷移例］
図１７は、本発明の第１の実施の形態におけるグループ画像再生部１６０により表示される操作支援情報（傾き具合メータ）の表示遷移例を示す図である。この例では、撮像装置１００の回転角速度（回転角度／秒）に応じて、画送りまたは画戻しを行う場合における表示遷移例を示す。すなわち、この例では、一度の回転操作により、一定の角速度に達したか否かに応じて、画送りまたは画戻しを行う例を示す。また、この例では、画送りまたは画戻しを行う際の回転角速度（回転角度／秒）が２０度／秒であり、撮像装置１００の回転角速度が２０度／秒を超える毎に画送りまたは画戻しを行う例を示す。
【０１４４】
図１７（ａ）には、ユーザにより撮像装置１００が右側方向に５度／秒で回転された場合に、その回転角速度に応じて表示される傾き具合メータの表示遷移を示す（状態６３１および６３２）。この場合には、回転角速度が２０度／秒に達しないため、画送りは行われず、元の状態に戻る（すなわち、状態６３２から状態６３１に戻る）。
【０１４５】
図１７（ｂ）には、ユーザにより撮像装置１００が右側方向に１０度／秒で回転された場合に、その回転角速度に応じて表示される傾き具合メータの表示遷移を示す（状態６３３および６３４）。この場合には、回転角速度が２０度／秒に達しないため、画送りは行われず、元の状態に戻る（すなわち、状態６３４から状態６３３に戻る）。なお、ユーザにより撮像装置１００が右側方向に１５度／秒で回転された場合についても同様に、その傾け角速度に応じて傾き具合メータの表示状態が変化するが、回転角速度が２０度／秒に達しないため、画送りは行われない。この場合も同様に元の状態に戻る。
【０１４６】
図１７（ｃ）には、ユーザにより撮像装置１００が右側方向に２０度／秒で回転された場合に、その回転角速度に応じて表示される傾き具合メータの表示遷移を示す。この場合には、回転角速度が２０度／秒に達したため、画送りが行われる。この画送りの後に、その角度の状態が維持されている場合（すなわち、０度／秒の場合）には、元の状態に戻る（すなわち、状態６３６から状態６３７に戻る）。また、その回転角速度が維持されている場合（またはその回転角速度以上の状態が維持された場合）には、その維持されている期間に応じて、傾き具合メータの表示状態が維持され、画送りが順次行われる。
【０１４７】
なお、図１７（ｂ）および（ｃ）では、状態６３３から状態６３４への表示遷移、および、状態６３５から状態６３６への表示遷移の一部を省略して示す。
【０１４８】
また、撮像装置１００が左側方向に回転された場合についても同様に、傾き具合メータの真ん中から左側部分の矩形領域が順次黒くなる。
【０１４９】
［操作支援情報の表示例］
図１８および図１９は、本発明の第１の実施の形態における入出力パネル１０１における表示遷移と、撮像装置１００の姿勢との関係を概略的に示す図である。
【０１５０】
図１８には、表示対象画像に操作支援情報（インジケータ）を重ねて入出力パネル１０１に表示させる場合における遷移例を示す。また、図１９には、表示対象画像に操作支援情報（傾け具合メータ）を重ねて入出力パネル１０１に表示させる場合における遷移例を示す。また、図１８（ｂ）および図１９（ｂ）には、入出力パネル１０１における画像が表示される際における撮像装置１００の姿勢の遷移例を示す。なお、図１８（ｂ）および図１９（ｂ）に示す例では、グループ画像表示モードの設定時における撮像装置１００の姿勢が、水平面３３０と同一面に位置する場合における遷移例を示す。また、図１８および図１９では、各図（ａ）に示す入出力パネル１０１に表示される画像と、各図（ｂ）に示す撮像装置１００の姿勢とについて、対応する関係を左右に並べて示す。
【０１５１】
図１８（ａ）および図１９（ａ）には、入出力パネル１０１に表示される画像の遷移を示す。なお、図１８（ａ）および図１９（ａ）に示す入出力パネル１０１に表示される画像６５１乃至６５３は、同一人物の顔について異なる視点から撮像された画像である。このため、撮像装置１００を左右に傾けるユーザ操作を早く行い、画送りまたは画戻しを早く行うことにより、３次元の物体（人物の顔）を見ているようにユーザに認識させることができる。すなわち、撮像装置１００を左右に傾けるユーザ操作により、擬似的に３次元画像を見ているようにユーザに認識させることができる。また、画像６５１乃至６５３が属するグループは、７つの画像（画像６５１乃至６５３を含む）により構成されているものとする。なお、画像６５１は、そのグループの代表画像であるものとし、画像６５２および６５３は、表示順序において最初と最後の画像であるものとする。
【０１５２】
最初に、図１８を参照して、表示対象画像に操作支援情報（インジケータ）を重ねて入出力パネル１０１に表示させる場合について説明する。なお、上述したように、グループ画像表示モードが設定された直後には、代表画像（画像６５１）が入出力パネル１０１に表示される。この場合には、図７（ｃ）と同様に、操作支援情報４０３が画像６５１に重ねて表示される。ただし、この操作支援情報４０３については、ユーザ操作により画送りまたは画戻りが一定時間（または、一定回数）行われた場合に消去または縮小されるため、図１８（ａ）および図１９（ｂ）では、その表示例を省略する。
【０１５３】
ここで、グループ画像表示モードが設定されている場合において、画像６５２が入出力パネル１０１に表示されている場合を想定する。この場合には、画像６５２が、同一グループを構成する７つの画像のうち、表示順序において最初の画像であるため、インジケータ６６０における左端の矩形領域が、他の矩形領域と異なる表示態様とされる。この場合には、それ以上の画戻しを行うことができない。
【０１５４】
また、グループ画像表示モードが設定されている場合において、画像６５３が入出力パネル１０１に表示されている場合を想定する。この場合には、画像６５３が、同一グループを構成する７つの画像のうち、表示順序において最後の画像であるため、インジケータ６６０における右端の矩形領域が、他の矩形領域と異なる表示態様とされる。この場合には、それ以上の画送りを行うことができない。
【０１５５】
このように、複数の画像の全体における、入出力パネル１０１に表示されている画像に関する順序（例えば、正規化角度情報により特定される順序）を表す標識をインジケータとして表示させることができる。
【０１５６】
また、グループ画像表示モードが設定されている場合において、表示対象画像とともにインジケータ６６０を表示させることにより、そのグループにおける表示対象画像の表示順序における位置を容易に把握することができる。これにより、画送りまたは画戻し操作を行う場合には、表示対象画像を見ながら、その操作を容易に行うことができる。
【０１５７】
次に、図１９を参照して、表示対象画像に操作支援情報（傾き具合メータ）を重ねて入出力パネル１０１に表示させる場合について説明する。
【０１５８】
ここで、グループ画像表示モードが設定されている場合において、画像６５２が入出力パネル１０１に表示されている場合を想定する。この場合には、画像６５２が、同一グループを構成する７つの画像のうち、表示順序において最初の画像であるため、傾き具合メータ６７０における真ん中から左端までの矩形領域が、他の矩形領域と異なる表示態様とされる。この場合には、それ以上の画戻しを行うことができない。
【０１５９】
また、グループ画像表示モードが設定されている場合において、画像６５３が入出力パネル１０１に表示されている場合を想定する。この場合には、画像６５３が、同一グループを構成する７つの画像のうち、表示順序において最後の画像であるため、傾き具合メータ６７０における真ん中から右端までの矩形領域が、他の矩形領域と異なる表示態様とされる。この場合には、それ以上の画送りを行うことができない。
【０１６０】
このように、入出力パネル１０１における表示状態を変更するために必要な撮像装置１００の姿勢の変化量を表す標識を傾き具合メータとして表示させることができる。すなわち、複数の画像について画送りまたは画戻しを行うために必要な撮像装置１００の姿勢の変化量を表す標識を傾き具合メータとして表示させることができる。
【０１６１】
なお、撮像装置１００の傾き角度に応じた傾き具合メータ６７０の表示状態の遷移については、図１５乃至図１７の遷移例と同様であるため、ここでの説明を省略する。
【０１６２】
このように、グループ画像表示モードが設定されている場合において、表示対象画像とともに傾き具合メータ６７０を表示させることにより、各表示対象画像を表示させる際における傾き具合をユーザが容易に把握することができる。また、そのグループにおける表示対象画像の表示順序における位置を容易に把握することができる。これにより、画送りまたは画戻し操作を行う場合には、表示対象画像を見ながら、その操作を容易に行うことができる。
【０１６３】
［撮像装置の動作例］
図２０および図２１は、本発明の第１の実施の形態における撮像装置１００による画像コンテンツ再生処理の処理手順の一例を示すフローチャートである。
【０１６４】
最初に、画像コンテンツの表示指示操作が行われたか否かが判断され（ステップＳ９０１）、その表示指示操作が行われていない場合には監視を継続して行う。一方、その表示指示操作が行われた場合には（ステップＳ９０１）、制御部１４０が代表画像表示モードを設定し、代表画像再生部１５０が、代表画像およびグループ化されていない画像を表示部１１１に表示させる（ステップＳ９０２）。
【０１６５】
続いて、代表画像表示モードが設定されている状態で、画送り操作または画戻し操作が行われたか否かが判断される（ステップＳ９０３）。画送り操作または画戻し操作が行われた場合には（ステップＳ９０３）、代表画像再生部１５０が表示部１１１に表示されている画像の表示切替を行う（ステップＳ９０４）。すなわち、表示部１１１に表示されている画像の画送りまたは画戻しが行われる。
【０１６６】
また、画送り操作または画戻し操作が行われていない場合には（ステップＳ９０３）、グループ画像表示モードの設定操作が行われたか否かが判断され（ステップＳ９０５）、グループ画像表示モードの設定操作が行われていない場合には、ステップＳ９１６に進む。一方、グループ画像表示モードの設定操作が行われた場合には（ステップＳ９０５）、グループ画像表示モード設定処理が行われる（ステップＳ９２０）。このグループ画像表示モード設定処理については、図２２を参照して詳細に説明する。
【０１６７】
続いて、グループ画像再生部１６０が、最初の操作支援情報（例えば、図７（ｃ）に示す操作支援情報４０３）を表示対象画像に重ねて表示部１１１に表示させる（ステップＳ９０６）。すなわち、グループ画像再生部１６０が、画像コンテンツ記憶部２００から取得された画像コンテンツをデコードし、このデコードされた画像コンテンツに基づいて表示用の画像を描画メモリ１７０に描画する。そして、グループ画像再生部１６０が、描画メモリ１７０に描画された画像のうちの１つ（代表画像）と、最初の操作支援情報とを同時に表示部１１１に表示させる。
【０１６８】
続いて、最初の操作支援情報が表示されているか否かが判断され（ステップＳ９０７）、最初の操作支援情報が表示されていない場合には、ステップＳ９１０に進む。一方、最初の操作支援情報が表示されている場合には（ステップＳ９０７）、グループ画像表示モードが設定されてから一定時間が経過したか否かが判断される（ステップＳ９０８）。グループ画像表示モードが設定されてから一定時間が経過した場合には（ステップＳ９０８）、グループ画像再生部１６０が、表示部１１１に表示されていた最初の操作支援情報を消去させる（ステップＳ９０９）。一方、グループ画像表示モードが設定されてから一定時間が経過していない場合には（ステップＳ９０８）、ユーザによる傾け操作があったか否かが判断される（ステップＳ９１０）。すなわち、グループ画像再生部１６０が、解析部１３０から出力された解析情報に基づいて、撮像装置１００の姿勢が一定以上変化したか否かを判断する。
【０１６９】
ユーザによる傾け操作があった場合には（ステップＳ９１０）、最初の操作支援情報が表示されているか否かが判断され（ステップＳ９１１）、最初の操作支援情報が表示されていない場合には、ステップＳ９１３に進む。一方、最初の操作支援情報が表示されている場合には（ステップＳ９１１）、グループ画像再生部１６０が、表示部１１１に表示されていた最初の操作支援情報を消去させる（ステップＳ９１２）。
【０１７０】
続いて、グループ画像再生部１６０が、ユーザによる傾け操作に応じた操作量および表示画像（表示部１１１に表示されている画像）に基づいて、操作支援情報（インジケータまたは傾け具合メータ）の表示状態を変更する（ステップＳ９１３）。続いて、グループ画像再生部１６０が、ユーザによる傾け操作に応じた操作量が表示切替の基準を超えている場合には、表示部１１１に表示される画像の表示切替（画送りまたは画戻し）を行い（ステップＳ９１４）、ステップＳ９０７に戻る。なお、ユーザによる傾け操作に応じた操作量が表示切替の基準を超えていない場合には、表示部１１１に表示される画像の表示切替（画送りまたは画戻し）を行わずに、ステップＳ９０７に戻る。
【０１７１】
また、ユーザによる傾け操作がない場合には（ステップＳ９１０）、代表画像表示モードの設定操作が行われたか否かが判断され（ステップＳ９１５）、その設定操作が行われた場合には、ステップＳ９０２に戻る。一方、代表画像表示モードの設定操作が行われていない場合には（ステップＳ９１５）、画像コンテンツの表示終了操作が行われたか否かが判断され（ステップＳ９１６）、その表示終了操作が行われた場合には、画像コンテンツ再生処理の動作を終了する。また、画像コンテンツの表示終了操作が行われていない場合には（ステップＳ９１６）、グループ画像表示モードが設定されているか否かが判断される（ステップＳ９１７）。そして、グループ画像表示モードが設定されている場合には（ステップＳ９１７）、ステップＳ９０７に戻り、グループ画像表示モードが設定されていない場合（すなわち、代表画像表示モードが設定されている場合）には、ステップＳ９０３に戻る。なお、ステップＳ９０６乃至Ｓ９１４、Ｓ９２０は、特許請求の範囲に記載の制御手順の一例である。また、ステップＳ９１０は、特許請求の範囲に記載の検出手順の一例である。
【０１７２】
図２２は、本発明の第１の実施の形態における撮像装置１００による画像コンテンツ再生処理の処理手順のうちのグループ画像表示モード設定処理（図２０に示すステップＳ９２０の処理手順）の一例を示すフローチャートである。
【０１７３】
最初に、グループ画像再生部１６０が、グループ画像表示モードの設定操作時に表示部１１１に表示されていた代表画像に対応するグループに属する各画像コンテンツを画像コンテンツ記憶部２００から取得する（ステップＳ９２１）。また、グループ画像再生部１６０が、そのグループに属する各画像コンテンツに関連付けられている画像管理情報を画像管理情報記憶部２１０から取得する（ステップＳ９２１）。
【０１７４】
続いて、操作方法決定部１８０が、取得された画像管理情報に角度情報が含まれるか否かを判断する（ステップＳ９２２）。そして、取得された画像管理情報に角度情報が含まれている場合には（ステップＳ９２２）、操作方法決定部１８０が、取得された画像管理情報に含まれる角度情報を画像コンテンツ毎に正規化する（ステップＳ９２３）。
【０１７５】
続いて、操作方法決定部１８０が、正規化された角度情報（正規化角度情報）に基づいて、取得された画像コンテンツと、傾け角度（基準角度）とを関連付ける（ステップＳ９２４）。この場合に、取得された画像コンテンツの数が傾け角度（基準角度）の数よりも大きい場合には、操作方法決定部１８０が、傾け角度（基準角度）の数の範囲内となるように、取得された画像コンテンツについて間引き処理を行う。続いて、操作方法決定部１８０が、その関連付けによる対応関係に基づいて、インジケータの表示領域を算出する（ステップＳ９２５）。
【０１７６】
また、取得された画像管理情報に角度情報が含まれていない場合には（ステップＳ９２２）、操作方法決定部１８０が、取得された画像コンテンツの数が、表示可能数（傾け角度（基準角度）の数）よりも大きいか否かを判断する（ステップＳ９２６）。取得された画像コンテンツの数が表示可能数以下である場合には（ステップＳ９２６）、ステップＳ９２８に進む。一方、取得された画像コンテンツの数が表示可能数よりも大きい場合には（ステップＳ９２６）、操作方法決定部１８０が、表示可能数の範囲内となるように、取得された画像コンテンツについて間引き処理を行う（ステップＳ９２７）。
【０１７７】
続いて、操作方法決定部１８０が、取得された画像コンテンツ（または間引き処理後の画像コンテンツ）と、傾け角度（基準角度）とを関連付ける（ステップＳ９２８）。続いて、操作方法決定部１８０が、その関連付けによる対応関係に基づいて、インジケータの表示領域を算出する（ステップＳ９２９）。
【０１７８】
＜２．変形例＞
以上では、操作支援情報として、棒状の矩形により構成される操作支援情報（傾き具合メータまたはインジケータ）を表示する例を示した。この変形例では、他の構成により表示される操作支援情報（傾き具合メータまたはインジケータ）の例を示す。なお、撮像装置１００の構成等については、操作支援情報の表示態様が異なる点以外は、本発明の第１の実施の形態と同様である。このため、以下では、本発明の第１の実施の形態と異なる点を中心にして説明し、共通する部分の説明の一部を省略する。
【０１７９】
［傾き具体メータの表示例］
図２３は、本発明の第１の実施の形態の変形例におけるグループ画像再生部１６０により表示される操作支援情報（傾き具合メータ）と、入出力パネル１０１における表示遷移例とを示す図である。
【０１８０】
図２３（ａ）には、円形状により構成される操作支援情報（傾き具合メータ）の一例を示す。この傾き具合メータを構成する円の外側には、対応する角度を表す。また、撮像装置１００の傾き角度については、傾き具合メータを構成する円の中心から、その傾き角度に対応する円上の位置までの矢印により表すものとする。
【０１８１】
図２３（ｂ）には、入出力パネル１０１に表示される画像の遷移を示す。上述したように、グループ画像表示モードが設定された直後には、代表画像（画像７０１）が入出力パネル１０１に表示される。この場合には、図７（ｃ）と同様に、操作支援情報７１１が画像７０１に重ねて表示される。ただし、操作支援情報７１１については、ユーザ操作により画送りまたは画戻りが一定時間（または、一定回数）行われた場合に消去または縮小される。
【０１８２】
また、図２３（ｂ）に示す例では、撮像装置１００の回転角度に応じて、画送りまたは画戻しを行う場合における表示遷移例を示す。また、この例では、画送りまたは画戻しを行う際の基準角度が３０度であり、撮像装置１００の傾き角度が３０度を超える毎に画送りまたは画戻しを行う例を示す。
【０１８３】
例えば、ユーザが撮像装置１００を持った状態で左側方向に回転をさせていく場合を想定する。例えば、撮像装置１００の左側方向への回転角度が２０度に達した場合には、傾き具合メータを構成する円の中心から、その回転角度（２０度）に対応する円上の位置までの矢印が付された傾き具合メータ７１２が画像７０１に表示される。ただし、この場合には、画送りは行われない。さらに、ユーザが撮像装置１００を持った状態で左側方向に回転をさせていき、その回転角度が３０度に達した場合を想定する。この場合には、傾き具合メータを構成する円の中心から、その回転角度（３０度）に対応する円上の位置（円の最下部）までの矢印が付された傾き具合メータが画像７０１に表示され、画送りの傾きに達した旨を表示するとともに、画送りが行われる。
【０１８４】
また、撮像装置１００が右側方向に回転された場合についても同様に、傾き具合メータを構成する円の中心から、その回転角度に対応する円上の位置までの矢印が付された傾き具合メータ７１３が画像７０１に重ねて表示される。
【０１８５】
図２４は、本発明の第１の実施の形態の変形例におけるグループ画像再生部１６０により表示される操作支援情報（傾き具合メータ）と、入出力パネル１０１における表示遷移例とを示す図である。
【０１８６】
図２４（ａ）には、円形状により構成される操作支援情報（傾き具合メータ）の一例を示す。この傾き具合メータを構成する円の外側には、対応する回転角速度を表す。また、撮像装置１００の回転角速度については、傾き具合メータを構成する円の中心から、その回転角速度に対応する円上の位置までの矢印により表すものとする。
【０１８７】
図２４（ｂ）には、入出力パネル１０１に表示される画像の遷移を示す。なお、代表画像（画像７０１）が入出力パネル１０１に表示され、操作支援情報７１１が画像７０１に重ねて表示される点は、図２３（ｂ）に示す例と同様である。
【０１８８】
また、図２４（ｂ）に示す例では、撮像装置１００の回転角速度に応じて、画送りまたは画戻しを行う場合における表示遷移例を示す。また、この例では、画送りまたは画戻しを行う際の回転角速度（回転角度／秒）が２０度／秒であり、撮像装置１００の回転角速度が２０度／秒を超える毎に画送りまたは画戻しを行う例を示す。
【０１８９】
例えば、ユーザが撮像装置１００を持った状態で左側方向に回転をさせ、その回転角速度が２０度／秒に達した場合を想定する。この場合には、傾き具合メータを構成する円の中心から、その回転角速度（２０度／秒）に対応する円上の位置までの矢印が付された傾き具合メータ７２１が画像７０１に表示され、画送りの回転角速度に達した旨を表示するとともに、画送りが行われる。この画送りにより画像７０２が表示される。また、この画送りの後に、その角度の状態が維持されている場合（すなわち、０度／秒の場合）には、元の状態に戻る。すなわち、傾き具合メータを構成する円の中心から、その回転角速度（０度／秒）に対応する円上の位置（円の最上部）までの矢印が付された傾き具合メータ７２２が画像７０２に表示される。
【０１９０】
また、撮像装置１００が右側方向に回転された場合についても同様に、傾き具合メータを構成する円の中心から、その回転角速度に対応する円上の位置までの矢印が付された傾き具合メータが表示される。
【０１９１】
なお、図２３および図２４に示す傾き具合メータにおいて、円の最上部と、矢印が指し示す円上の位置との範囲（その２点と、円の中心とにより特定される扇系の範囲）を、他の領域と異なる表示態様として、ユーザが認識し易くなるようにしてもよい。
【０１９２】
［インジケータの表示例］
図２５乃至図２８は、本発明の第１の実施の形態の変形例における入出力パネル１０１における表示遷移例を示す図である。これらの例では、グループ画像再生部１６０により表示される操作支援情報（インジケータ）の表示態様を変形した例を示す。また、図２５および図２７では、表示対象となるグループの種類を示す表示支援情報（例えば、アイコン）８０２および８１２をインジケータとともに表示する例を示す。
【０１９３】
図２５および図２６には、多視点画像を表示する場合における表示遷移例を示す。図２５には、インジケータ８０１と、表示対象となるグループの種類が「多視点画像」である旨を示す表示支援情報８０２とを同時に表示する例を示す。図２６には、表示対象となるグループの種類が「多視点画像」である旨を示すインジケータ８１１を表示する例を示す。
【０１９４】
図２７および図２８には、連写画像を表示する場合における表示遷移例を示す。図２７には、インジケータ８２１と、表示対象となるグループの種類が「連写画像」である旨を示す表示支援情報８２２とを同時に表示する例を示す。図２８には、表示対象となるグループの種類が「連写画像」である旨を示すインジケータ８３１を表示する例を示す。
【０１９５】
なお、図２５乃至図２８に示すインジケータにおける表示状態については、図１８等に示す例と同様であるため、ここでの説明を省略する。
【０１９６】
このように、入出力パネル１０１に表示されている画像に係る画像群を構成する各画像の相関性（例えば、グループ種類に対応する）に基づいて、インジケータの表示態様が画像群毎に変更して表示される。
【０１９７】
また、グループ画像表示モードが設定されている場合において、表示対象画像とともに、表示対象となるグループの種類を示す表示支援情報を表示させることにより、各表示対象画像を表示させる際における操作をユーザが容易に行うことができる。すなわち、画送りまたは画戻し操作を行う場合には、表示対象画像を見ながら、その操作を容易に行うことができる。
【０１９８】
以上で示したように、本発明の実施の形態では、グループ画像表示モードの設定時には、最初の操作支援情報（例えば、図７（ｃ）に示す操作支援情報４０３）を表示する。これにより、例えば、撮像装置１００の持ち方が悪く、画像の閲覧を開始した途端に、表示されている視点の切り替えが発生して見たい視点の画像を見逃してしまうことを防止することができる。
【０１９９】
また、例えば、グループ画像表示モードの設定時に多視点画像を表示している場合には、傾き具合メータを表示させることにより、どのくらい傾けると視点が切り替わるのかをユーザが容易に把握することができる。また、例えば、切り替える視点の変化が少ない画像を表示している場合でも、ユーザが傾けるという操作をして画像が切り替わったことをユーザが容易に把握することができる。
【０２００】
また、例えば、グループ画像表示モードの設定時に多視点画像を表示している場合には、インジケータを表示させることにより、現在表示している視点が、全視点の中でどこの視点になるのかをユーザが容易に把握することができる。また、例えば、最も右から撮影した視点の画像を表示している場合には、それ以上右側を下にして傾けても視点が切り替わらないことをユーザが容易に把握することができる。
【０２０１】
なお、以上で示した例では、撮像装置１００の上下方向を軸とする回転により入出力パネル１０１における表示状態を変更する例を示した。ただし、撮像装置１００の左右方向を軸とする回転により入出力パネル１０１における表示状態を変更する場合についても本発明の実施の形態を適用することができる。この場合には、例えば、上下の傾け操作により画像の変更を行い、インジケータや傾け具合メータも縦長に配置して表示することができる。さらに、例えば、上下左右の両方向に視点がある画像を表示させる場合には、上下左右の両方向への傾け操作により視点切り替えを行い、インジケータや傾け具合メータも上下左右の両方向のものを表示することができる。また、撮像装置１００の上下左右、前後方向の何れかの方向へのスライド（平行移動）により入出力パネル１０１における表示状態を変更する場合についても本発明の実施の形態を適用することができる。
【０２０２】
なお、本発明の実施の形態では、撮像装置を例にして説明したが、記録媒体に記憶されている画像コンテンツを表示部に表示させることが可能な画像処理装置に本発明の実施の形態を適用することができる。例えば、撮像機能付き携帯電話機、ナビゲーションシステム、携帯型メディアプレイヤー等の画像処理装置に本発明の実施の形態を適用することができる。
【０２０３】
なお、本発明の実施の形態は本発明を具現化するための一例を示したものであり、本発明の実施の形態において明示したように、本発明の実施の形態における事項と、特許請求の範囲における発明特定事項とはそれぞれ対応関係を有する。同様に、特許請求の範囲における発明特定事項と、これと同一名称を付した本発明の実施の形態における事項とはそれぞれ対応関係を有する。ただし、本発明は実施の形態に限定されるものではなく、本発明の要旨を逸脱しない範囲において実施の形態に種々の変形を施すことにより具現化することができる。
【０２０４】
また、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【符号の説明】
【０２０５】
１００  撮像装置
１０１  入出力パネル
１０２  シャッターボタン
１１０  入出力部
１１１  表示部
１１２  操作受付部
１２０  姿勢検出部
１３０  解析部
１４０  制御部
１５０  代表画像再生部
１６０  グループ画像再生部
１７０  描画メモリ
１８０  操作方法決定部
２００  画像コンテンツ記憶部
２１０  画像管理情報記憶部
【図１】
2011197358.tif 000003
【図２】
2011197358.tif 000004
【図３】
2011197358.tif 000005
【図４】
2011197358.tif 000006
【図５】
2011197358.tif 000007
【図６】
2011197358.tif 000008
【図７】
2011197358.tif 000009
【図８】
2011197358.tif 000010
【図９】
2011197358.tif 000011
【図１０】
2011197358.tif 000012
【図１１】
2011197358.tif 000013
【図１２】
2011197358.tif 000014
【図１３】
2011197358.tif 000015
【図１４】
2011197358.tif 000016
【図１５】
2011197358.tif 000017
【図１６】
2011197358.tif 000018
【図１７】
2011197358.tif 000019
【図１８】
2011197358.tif 000020
【図１９】
2011197358.tif 000021
【図２０】
2011197358.tif 000022
【図２１】
2011197358.tif 000023
【図２２】
2011197358.tif 000024
【図２３】
2011197358.tif 000025
【図２４】
2011197358.tif 000026
【図２５】
2011197358.tif 000027
【図２６】
2011197358.tif 000028
【図２７】
2011197358.tif 000029
【図２８】
2011197358.tif 000030